(57)【要約】  限定された数のアンテナを持つ無線機器上の複数の無線機をサポートするための技術が記述される。１つの設計において、少なくとも１つの無線機は、無線機器上の複数の無線機の中から選択され得る。少なくとも１つのアンテナは、たとえば、複数の無線機への複数のアンテナの構成可能なマッピングに基づいて、複数のアンテナの中から少なくとも１つの無線機のために選択され得る。１つ又はそれ以上のアンテナは、アンテナの数を減少させるため無線機間で共有され得る。少なくとも１つも無線機は、たとえば、スイッチピレクサを通じて、少なくとも１つのアンテナへ接続され得る。よい性能が得られることができるように、（たとえば、少なくとも１つの無線機が活動中になる場合、又は、少なくとも１つの無線機の性能における変化が要求される場合）アンテナ選択は、動的に実行され得る。
2013516110.tif 000002
【特許請求の範囲】
【請求項１】
無線通信のための方法であって、
無線機器上の複数の無線機の中から少なくとも１つの無線機を選択することと、
複数のアンテナの中から前記少なくとも１つの無線機のために少なくとも１つのアンテナを選択することであって、ここで、前記少なくとも１つのアンテナの１つ又はそれ以上は、前記複数の無線機の中の１つ又はそれ以上の他の無線機のための使用のために共有され利用可能である、選択することと、
前記少なくとも１つのアンテナに前記少なくとも１つの無線機を接続することと、
を備える方法。
【請求項２】
少なくとも１つのアンテナを前記選択することは、前記複数のアンテナへ前記複数の無線機の構成可能なマッピングに基づいて前記複数のアンテナの中から前記少なくとも１つのアンテナを選択することを備える、請求項１に記載の方法。
【請求項３】
少なくとも１つのアンテナを前記選択することは、少なくとも１つの無線機が活動中になる場合又は前記少なくとも１つの無線機の性能において変化が要求される場合、動的に前記少なくとも１つのアンテナを選択することを備える、請求項１に記載の方法。
【請求項４】
少なくとも１つの無線機を前記選択することは、前記複数の無線機の中から多重無線機を選択することを備え、少なくとも１つのアンテナを前記選択することは、前記複数のアンテナの中から多重アンテナを選択することを備え、前記少なくとも１つのアンテナへ前記少なくとも１つの無線機を前記接続することは、前記多重アンテナへ前記多重無線機を接続することを備える、請求項１に記載の方法。
【請求項５】
少なくとも１つの無線機を前記選択することは、前記複数の無線機の中から多重無線機を選択することであって、ここで、少なくとも１つのアンテナを前記選択することは、前記複数のアンテナの中から単一のアンテナを選択することを備え、前記少なくとも１つのアンテナへ前記少なくとも１つの無線機を前記接続することは、前記単一のアンテナを前記多重無線機へ接続することを備える、選択することを備える、請求項１に記載の方法。
【請求項６】
前記少なくとも１つのアンテナは、第１の時期に、選択され、
前記方法は、
第２の時期に前記複数のアンテナの中から少なくとも１つの他のアンテナを選択することと、
前記少なくとも１つの他のアンテナへ前記少なくとも１つの無線機を接続することと、
をさらに備える、請求項１に記載の方法。
【請求項７】
第１の時期に前記少なくとも１つの無線機のために第１の数のアンテナを選択することであって、ここで、第１の数のアンテナは前記少なくとも１つのアンテナを含む、選択することと、
第２の時期に前記少なくとも１つの無線機のために第２の数のアンテナを選択することであって、ここで、第２の数のアンテナは前記第１の数のアンテナとは異なる、選択することと、
をさらに備える、請求項１に記載の方法。
【請求項８】
前記複数のアンテナのための測定を得ることと、
前記測定に基づいて前記少なくとも１つのアンテナを選択することと、
をさらに備える、請求項１に記載の方法。
【請求項９】
測定を前記得ることは、アンテナ間のアイソレーション、受信信号強度（received signal strength indicator）（ＲＳＳＩ）、チャンネル品質指標（channel quality indicator）（ＣＱＩ）、又はそれらの組み合わせのための測定を得ることを備える、請求項８に記載の方法。
【請求項１０】
少なくとも１つの無線機を前記選択することは、前記複数の無線機の優先度、アプリケーションの要求、アプリケーションに関する好み、アンテナ間の干渉、又はそれらの組み合わせに基づいて前記少なくとも１つの無線機を選択することを備える、請求項１に記載の方法。
【請求項１１】
少なくとも１つの無線機を前記選択することは、
少なくとも１つのアプリケーションからの入力を受信することと、
前記少なくとも１つのアプリケーションからの入力に基づいて前記少なくとも１つの無線機を選択し、前記少なくとも１つの無線機の中での干渉を和らげることと、
を備える、請求項１に記載の方法。
【請求項１２】
前記少なくとも１つのアンテナへ前記少なくとも１つの無線機を前記接続することは、前記複数の無線機と前記複数のアンテナとの間に接続される少なくとも１つのスイッチピレクサを通じて前記少なくとも１つのアンテナへ前記少なくとも１つの無線機を接続することを備える、請求項１に記載の方法。
【請求項１３】
前記無線機のために利用可能な多重アンテナの１つへ前記複数の無線機の中の無線機を接続するために前記少なくとも１つのスイッチピレクサを制御することをさらに備える、請求項１２に記載の方法。
【請求項１４】
前記アンテナによってサポートされる多重アンテナの１つへ前記複数のアンテナの中のアンテナを接続するために前記少なくとも１つのスイッチピレクサを制御することをさらに備える、請求項１２に記載の方法。
【請求項１５】
前記複数のアンテナは、ダイポールアンテナ、モノポールアンテナ又は両者を備える、請求項１に記載の方法。
【請求項１６】
前記少なくとも１つの無線機の中の受信機無線機のため低ノイズアンプ（ＬＮＡ）を選択することであって、ここで、前記ＬＮＡは、複数の無線機の中の１つ又はそれ以上の他の無線機受信機によって供給される、選択すること、
をさらに備える、請求項１に記載の方法。
【請求項１７】
前記少なくとも１つの無線機の中の送信器無線機のためのパワーアンプ（ＰＡ）を選択することであって、ここで、前記ＰＡは、前記複数の無線機の中の１つ又はそれ以上の他の送信器無線機によって共有される、選択すること、
をさらに備える、請求項１に記載の方法。
【請求項１８】
前記複数のアンテナは、少なくとも１つの無線機の第１セットに専用の少なくとも１つのアンテナの第１セットを含み、多重無線機の第２セットによって共有される少なくとも１つのアンテナの第２セットをさらに含む、請求項１に記載の方法。
【請求項１９】
前記複数のアンテナは、前記無線機器上の前記複数の無線機のための使用のため利用可能である、請求項１に記載の方法。
【請求項２０】
無線機の選択及びアンテナの選択は、前記無線機器上で指定されるコントローラによって集中方式において実行される、請求項１に記載の方法。
【請求項２１】
無線機の選択及びアンテナの選択は、前記無線機器上の複数のコントローラによって非集中方式において実行される、請求項１に記載の方法。
【請求項２２】
無線機の選択及びアンテナの選択は、指定される時期に同期方式において実行される、請求項１に記載の方法。
【請求項２３】
無線機の選択及びアンテナの選択は、イベントによってトリガーされる場合、非同期方式において実行される、請求項１に記載の方法。
【請求項２４】
無線機器上の複数の無線機の中から少なくとも１つの無線機を選択するための手段と、
複数のアンテナの中から前記少なくとも１つの無線機のために少なくとも１つのアンテナを選択するための手段であって、ここで、前記少なくとも１つのアンテナの１つ又はそれ以上は、前記複数の無線機の中の１つ又はそれ以上の他の無線機のための使用のため共有され利用可能である、選択するための手段と、
前記少なくとも１つのアンテナへ前記少なくとも１つの無線機を接続するための手段と、
を備える無線通信装置。
【請求項２５】
少なくとも１つの無線機を選択するための前記手段は、前記複数の無線機の中から多重無線機を選択するための手段を備え、少なくとも１つのアンテナを選択するための前記手段は、前記複数のアンテナの中から多重アンテナを選択するための手段を備え、前記少なくとも１つのアンテナへ前記少なくとも１つの無線機を接続するための前記手段は、前記多重アンテナへ前記多重無線機を接続するための手段を備える、請求項２４に記載の装置。
【請求項２６】
前記少なくとも１つのアンテナは、第１の時期に、選択され、
前記装置は、
第２に時期に前記複数のアンテナの中から少なくとも１つの他のアンテナを選択するための手段と、
前記少なくとも１つの他のアンテナへ前記少なくとも１つの無線機を接続するための手段と、
をさらに備える、請求項２４に記載の装置。
【請求項２７】
第１の時期に前記少なくとも１つの無線機のため第１の数のアンテナを選択するための手段であって、ここで、前記第１の数のアンテナは、前記少なくとも１つのアンテナを含む、選択するための手段と、
第２の時期に前記少なくとも１つの無線機のために第２の数のアンテナを選択するための手段であって、ここで、前記第２の数のアンテナは、前記第１の数のアンテナとは異なる、選択するための手段と、
をさらに備える、請求項２４に記載の装置。
【請求項２８】
前記複数のアンテナのための測定を得るための手段と、
前記測定に基づいて前記少なくとも１つのアンテナを選択するための手段と、
をさらに備える、請求項２４に記載の装置。
【請求項２９】
前記少なくとも１つのアンテナへ前記少なくとも１つの無線機を接続するための前記手段は、前記複数の無線機と前記複数のアンテナとの間に接続される少なくとも１つのスイッチピレクサを通じて前記少なくとも１つのアンテナへ前記少なくとも１つの無線機を接続するための手段を備える、請求項２４に記載の装置。
【請求項３０】
無線通信のための装置であって、
無線機器上の複数の無線機の中から少なくとも１つの無線機を選択するように、
複数のアンテナの中から前記少なくとも１つの無線機のために少なくとも１つのアンテナを選択するようにであって、ここで、前記少なくとも１つのアンテナの１つ又はそれ以上は、前記複数の無線機の中の１つ又はそれ以上の他の無線機のための使用のため共有され利用可能である、選択するように、および
前記少なくとも１つのアンテナへ前記少なくとも１つの無線機を接続するように、
構成される、少なくとも１つのプロセッサを備える装置。
【請求項３１】
前記少なくとも１つのプロセッサは、
前記複数の無線機の中から多重無線機を選択するように、
前記複数のアンテナの中から多重アンテナを選択するように、及び
前記多重アンテナへ前記多重無線機を接続するように、
構成される、請求項３０に記載の装置。
【請求項３２】
前記少なくとも１つのプロセッサは、
第１の時期に前記少なくとも１つのアンテナを選択するように、
第２の時期に前記複数のアンテナの中から少なくとも１つの他のアンテナを選択するように、および
前記少なくとも１つの他のアンテナへ前記少なくとも１つの無線機を接続するように、
構成される、請求項３０に記載の装置。
【請求項３３】
前記少なくとも１つのプロセッサは、
第１の時期に前記少なくとも１つの無線機のため第１の数のアンテナを選択するようにであって、ここで、前記第１の数のアンテナは、前記少なくとも１つのアンテナを含む、選択するように、および
第２の時期に前記少なくとも１つの無線機のため第２の数のアンテナを選択するようにであって、ここで、前記第２の数のアンテナは、前記第１の数のアンテナとは異なる、選択するように、
構成される、請求項３０に記載の装置。
【請求項３４】
前記少なくとも１つのプロセッサは、
前記複数のアンテナのための測定を得るように、および
前記測定に基づいて前記少なくとも１つのアンテナを選択するように、
構成される、請求項３０に記載の装置。
【請求項３５】
前記複数の無線機と前記複数のアンテナとの間に接続され、前記少なくとも１つのアンテナへ前記少なくとも１つの無線機を接続するように構成される少なくとも１つのスイッチピレクサをさらに備える、請求項３０に記載の装置。
【請求項３６】
少なくとも１つのコンピュータに、無線機器上の複数の無線機の中から少なくとも１つの無線機を選択させるためのコードと、
前記少なくとも１つのコンピュータに、複数のアンテナの中から前記少なくとも１つの無線機のために少なくとも１つのアンテナを選択させるためのコードであって、ここで、前記少なくとも１つのアンテナの１つ又はそれ以上は、前記複数の無線機の中の１つ又はそれ以上の他の無線機のための使用のため共有され利用可能である、コードと、
前記少なくとも１つのコンピュータに、前記少なくとも１つのアンテナへ前記少なくとも１つの無線機を接続させるためのコードと、
を備えるコンピュータ可読媒体を備える、コンピュータプログラム製品。
【発明の詳細な説明】
【技術分野】
【０００１】
関連した出願
本出願は、「METHOD AND APPARATUS FOR ANTENNA SWITCHING IN A WIRELESS SYSTEM,」とタイトルが付けられ、２００９年１２月２１日に提出され、譲渡人から譲渡され及び参照によって本文中に組み込まれた米国仮出願第６１／２８８，８０１号に対して優先権を主張する。
【０００２】
本開示は、一般的には通信に、及び、具体的には無線通信機器による通信をサポートすることについての技術に関連する。
【背景技術】
【０００３】
無線通信ネットワークは、音声、ビデオ、パケットデータ、メッセージング、放送などのような様々な通信コンテンツを供給するために広く展開されている。これらの無線ネットワークは、利用可能なネットワーク資源を共有することによって多数の利用者をサポートする能力のあるマルチアクセスネットワークであり得る。そのようなマルチアクセスネットワークの例は、符号分割多元接続（ＣＤＭＡ）ネットワーク、時分割多元接続（ＴＤＭＡ）ネットワーク、周波数分割多元接続（ＦＤＭＡ）ネットワーク、及びシングルキャリアＦＤＭＡ（ＳＣ−ＦＤＭＡ）ネットワークを含む。
【０００４】
無線通信機器は、異なる無線ネットワークによる通信をサポートするためいくつかの無線機を含み得る。各無線機は、１つ又はそれ以上のアンテナを通じて信号を送信又は受信し得る。無線機器上のアンテナの数は、スペース制約及び接続問題によって制限され得る。良い性能が達成されることができるような、いくつかの限定された個数のアンテナを備える無線機器上の全ての無線機をサポートすることが望まれ得る。
【発明の概要】
【０００５】
いくつかの限定された個数のアンテナを備える無線通信機器上で複数の無線機をサポートする技術は、本文中に記述される。ある態様において、無線機器上の全ての無線機をサポートするのに必要とされるアンテナの数を減少させるため、１つ又はそれ以上のアンテナは、無線機間で共有され得る。さらに、アンテナは、良い性能が得られることができるような１つ又はそれ以上の活動中の無線機のために選択され得る。
【０００６】
１つの設計として、少なくとも１つの無線機は、無線機器上で複数の無線機の中から選択され得る。少なくとも１つのアンテナは、複数のアンテナの中から少なくとも１つの無線機のために選択され得る。少なくとも１つのアンテナの１つ又はそれ以上は、複数のアンテナの間で１つ又はそれ以上の他の無線機の使用のために共有され得、及び利用可能であり得る。少なくとも１つの無線機は、たとえば、スイッチピレクサ（switchplexer）を通じて、少なくとも１つのアンテナへ接続され得る。
【０００７】
１つの設計では、少なくとも１つのアンテナは、複数のアンテナへの複数の無線機の構成可能なマッピングに基づいて選択され得る。構成可能なマッピングは、例えばいかなる無線機が活動中であるかに基づいて、異なる無線機のために利用されるために与えられたアンテナ及び／又は異なるアンテナを割り当てるために与えられた無線機を許容する。たとえば、少なくとも１つの無線機が利用可能になった場合、又は、少なくとも１つの無線機の性能における変化が要求された場合、アンテナ選択は、動的に実行され得る。１つの設計では、異なるアンテナ及び／又は異なる数のアンテナは、異なる時期に、少なくとも１つの無線機のために選択され得る。
【０００８】
本開示の様々な態様及び特徴は、以下にさらに詳細に記述される。
【図面の簡単な説明】
【０００９】
【図１】図１は、様々な無線ネットワークによって通信する無線機器を示す。
【図２】図２は、無線機器のブロック図を示す。
【図３】図３は、無線機器内の様々なユニットのレイアウト例を示す。
【図４】図４は、７つの無線機器によるアンテナ共有の異なるレベルを示す。
【図５】図５は、スイッチピレクサ（switchplexer）のブロック図を示す。
【図６】図６は、動的アンテナ選択の例を示す。
【図７Ａ】図７Ａは、構成可能なアンテナの１つの設計を示す。
【図７Ｂ】図７Ｂは、構成可能なアンテナの１つの設計を示す。
【図８Ａ】図８Ａは、インピーダンス制御要素の１つの設計を示す。
【図８Ｂ】図８Ｂは、インピーダンス制御要素の１つの設計を示す。
【図９】図９は、２つのアンテナに関して２つひと組のアイソレーションの測定を示す。
【図１０】図１０は、３つ又はそれ以上のアンテナに関して組み合わせたアイソレーションの測定を示す。
【図１１】図１１は、アンテナ間のアイソレーション及び／又は相関関係に基づいてアンテナを選択するためのプロセスを示す。
【図１２】図１２は、アンテナを動的に選択するためのプロセスを示す。
【図１３】図１３は、アンテナ選択を実行するためのプロセスを示す。
【詳細な説明】
【００１０】
図１は、多重無線通信ネットワークで通信することができる無線通信機器１１０を示す。これら無線ネットワークは、１つ又はそれ以上のワイヤレスワイドエリアネットワーク（wireless local area networks）（ＷＷＡＮ）１２０及び１３０、１つ又はそれ以上のワイヤレスローカルエリアネットワーク（wireless local area networks）（ＷＬＡＮ）１４０及び１５０、１つ又はそれ以上のワイヤレスパーソナルエリアネットワーク（wireless personal area networks）（ＷＰＡＮ）１６０、１つ又はそれ以上の放送ネットワーク１７０、１つ又はそれ以上の衛星測位システム１８０、図１に示されないその他ネットワーク及びシステム、又は、それらの任意の組み合わせを含み得る。「ネットワーク」及び「システム」という用語は、しばしば区別なく使用される。ＷＷＡＮは、携帯ネットワークであり得る。
【００１１】
携帯ネットワーク１２０及び１３０は、それぞれＣＤＭＡ、ＴＤＭＡ、ＦＤＭＡ、ＯＦＤＭＡ、ＳＣ−ＦＤＭＡ、又はいくつかの他のネットワークであり得る。ＣＤＭＡネットワークは、ユニバーサル地上無線アクセス（Universal Terrestrial Radio Access）（ＵＴＲＡ）、ＣＤＭＡ２０００などのような無線技術又はエアーインターフェイスを実施し得る。ＵＴＲＡは、広帯域ＣＤＭＡ（ＷＣＤＭＡ）及びＣＤＭＡの他の変形を含む。ｃｄｍａ２０００は、ＩＳ−２０００、ＩＳ−９５及びＩＳ−８５６標準をカバーする。ＩＳ−２０００はまた、ＣＤＭＡ  １Ｘとも呼ばれ、ＩＳ−８５６はまた、エボリューションデータオプティマイド（Evolution-Data Optimized）（ＥＶＤＯ）とも呼ばれる。ＴＤＭＡネットワークは、モバイル通信用グローバルシステム（Global System for Mobile Communications）（ＧＳＭ（登録商標））、デジタル先進移動電話システム（Digital Advanced Mobile Phone System）（Ｄ−ＡＭＰＳ）などのような無線技術を実施し得る。ＯＦＤＭＡネットワークは、次世代ＵＴＲＡ（Evolved UTRA）（Ｅ−ＵＴＲＡ）、ウルトラモバイルブロードバンド（Ultra Mobile Broadband）（ＵＭＢ）、ＩＥＥＥ  ８０２．１６（ＷｉＭＡＸ）、ＩＥＥＥ８０２．２０、フラッシュＯＦＤＭ（Flash-OFDM）などのような無線技術を実施し得る。ＵＴＲＡ及びＥ−ＵＴＲＡは、ユニバーサルモバイル通信システム（Universal Mobile Telecommunication System）（ＵＭＴＳ）の一部である。３ＧＰＰロングタームエボリューション（ＬＴＥ）及びＬＴＥアドバンスド（LTE Advanced）（ＬＴＥ−Ａ）は、Ｅ−ＵＴＲＡを使用するＵＭＴＳのニューリリースである。ＵＴＲＡ、Ｅ−ＵＴＲＡ、ＵＭＴＳ、ＬＴＥ，ＬＴＥ−Ａ及びＧＭＳは、「第３世代パートナーシッププロジェクト」（3rd Generation Partnership Project）（３ＧＰＰ）と名付けられた組織からの文書に記述される。ｃｄｍａ２０００及びＵＭＢは、「第３世代パートナーシッププロジェクト２」（3rd Generation Partnership Project 2）と名付けられた組織からの文書に記述される。携帯ネットワーク１２０及び１３０は、無線機器のための双方向通信をサポートできる基地局１２２及び１３２をそれぞれ含み得る。
【００１２】
ＷＬＡＮ１４０及び１５０は、ＩＥＥＥ  ８０２．１１（Ｗｉ−Ｆｉ）、ヒッパーラン（Hiperlan）のような無線技術をそれぞれ実施し得る。ＷＬＡＮ１４０及び１５０は、無線機器のための双方向通信をサポートできるアクセスポイント１４２及び１５２をそれぞれ含み得る。ＷＰＡＮ１６０は、ブルーツース（ＢＴ）、ＩＥＥＥ  ８０２．１５などのような無線技術を実施し得る。ＷＰＡＮ１６０は、無線機器１１０、ヘッドセット１６２、コンピュータ１６４、マウス１６６などのような様々な機器のための双方向通信をサポートし得る。
【００１３】
放送ネットワーク１７０は、テレビ（ＴＶ）放送ネットワーク、周波数変調（ＦＭ）放送ネットワーク、デジタル放送ネットワークなどであり得る。デジタル放送ネットワークは、メディアＦＬＯＴＭ、ハンドヘルド用デジタルビデオ放送（Digital Video Broadcasting for Handhelds）（ＤＶＢ−Ｈ）、地上テレビ放送用総合デジタル放送サービス（Integrated Services Digital Broadcasting for Terrestrial Television Broadcasting）（ＩＳＤＢ−Ｔ）、先進型テレビジョン方式委員会−移動体／ハンドヘルド（Advanced Television Systems Committee - Mobile/Handheld）（ＡＴＳＣ−Ｍ／Ｈ）などのような無線技術を実施し得る。放送ネットワーク１７０は、一方向通信をサポートできる１つ又はそれ以上の放送局を含み得る。
【００１４】
衛星測位システム１８０は、米国の全地球測位システム（ＧＰＳ）、ヨーロッパのガリレオシステム（Galileo system）、ロシアのＧＬＯＮＡＳＳシステム、日本の準天頂衛星システム（Quasi-Zenith Satellite System）（ＱＺＳＳ）、インドの地域的衛星測位システム（Indian Regional Navigational Satellite System）（ＩＲＮＳＳ）、中国の北斗システム（Beidou system）などであり得る。衛星測位システム１８０は、測位に使用される信号を送信するいくつかの衛星を含み得る。
【００１５】
無線機器１１０は、静止し又は移動式であり得、また、利用者装置（ＵＥ）、移動局、移動体装置、端末、アクセス端末、加入者ユニット、局とも呼ばれ得る。無線機器１１０は、携帯電話、携帯情報端末（ＰＤＡ）、無線モデム、ハンドヘルド機器、ラップトップコンピュータ、コードレスフォン、ワイヤレスローカルループ（wireless local loop）（ＷＬＬ）ステーション、スマートフォン、ネットブック、スマートブック、放送受信機などであり得る。無線機器１１０は、携帯ネットワーク１２０及び／又は１３０、ＷＬＡＮ１４０及び／又は１５０、ＷＰＡＮ内の機器などと双方向通信し得る。無線機器１１０はまた、放送ネットワーク１７０、衛星測位システム１８０などから信号を受信し得る。一般に、無線機器１１０は、任意の与えられた瞬間に、任意の数の無線ネットワーク及びシステムと通信し得る。
【００１６】
図２は、無線機器１１０の設計のブロック図を示す。この設計において、無線機器１１０は、Ｍ個のアンテナ２１０ｍから２１０ｍ及びＮ個の無線機２４０ａから２４０ｎを含む。一般に、Ｍ及びＮは、それぞれ任意の整数値であり得る。１つの設計においては、ＭはＮより小さく、いくつかの無線機はアンテナを共有し得る。
【００１７】
アンテナ２１０は、信号を発する及び／又は受信するために使用される要素を備え得、またアンテナ要素とも呼ばれ得る。アンテナ２１０は、様々なアンテナ設計及び形状によって実施され得る。例えば、アンテナは、ダイポールアンテナ、印刷された二重アンテナ、モノポールアンテナ、パッチ／平面アンテナ、ホィップアンテナ、マイクロストリップアンテナ、ストリップラインアンテナ、反転Ｆアンテナ、平面反転Ｆアンテナ、プレートアンテナなどであり得る。アンテナ２１０は、受動及び／又は能動要素、固定され及び／又は構成可能な要素などを含み得る。構成可能なアンテナは、その寸法又はサイズ、その電気的特性などの点で変化をつけられ得る。例えば、アンテナは、オン若しくはオフにされ得る、又は、ビームフォーミング並びに／若しくはビームステーリングのためのアレイとして利用され得る多重セグメントを備え得る。
【００１８】
図２に示される設計において、アンテナ２１０ａから２１０ｍは、それぞれインピーダンス制御要素（ＺＣＥ）２１２ａから２１２ｍに接続され得る。各インピーダンス制御要素２１２は、割り当てられたアンテナ２１０のためのチューニング及びマッチングが実行され得る。たとえば、インピーダンス制御要素は、動的及び最適に、割り当てられたアンテナの動作周波数及びレンジ（たとえば、中心周波数及び帯域幅）を変更し、ビーム方向及び無効のステアリングを制御し、選択された無線機と１つ又はそれ以上の選択されたアンテナとの間のミスマッチを管理し、アンテナ間のアイソレーションを制御するなどする。１つの設計において、インピーダンス制御要素２１２ａから２１２ｍは、バス２９２を通じてコントローラ２７０によって制御され得る。
【００１９】
構成可能なスイッチピレクサ２２０は、選択された無線機２４０を選択されたアンテナ２１０に接続し得る。適切な入力に基づいて、２４０の全て又はサブセットは、使用のために選択され得、アンテナ２１０の全て又はサブセットは、使用のために選択され得もする。スイッチピレクサ２２０は、選択されたアンテナに選択された無線機を関連づける能力を構成可能なアンテナスイッチ行列に供給し得る。各選択されたスイッチピレクサ２２０は、バス２９２を通じてコントローラ２７０によって制御され得る。各選択されたアンテナ２１０は、たとえばコントローラ２７０の制御の下、１つ又はそれ以上の選択された無線機２４０のため、及び、適切な周波数帯のため利用され得る。コントローラ２７０は、受信ダイバーシティ、選択ダイバーシティ、マルチ入力マルチ出力（ＭＩＭＯ）、ビームフォーミング、又はその他選択された無線機２４０のための送信並びに／若しくは受信スキームのため、選択されたアンテナ２１０を構成し得る。コントローラ２７０はまた、音声又はデータ接続の間、多重ダイバーシティアンテナに割り当てられ得、使用のためどの無線機が選択されたかに基づいて異なるアンテナ（たとえば、ＷＷＡＮアンテナ及びＷＬＡＮアンテナ）間をスイッチし得る。スイッチピレクサ２２０に組み合わされたコントローラ２７０は、ビームステアリング、無効にすることなどのためにアンテナ２１０を制御し得る。スイッチピレクサ２２０は、他の回路を含み得る無線周波数集積回路（ＲＦＩＣ）内で実施され得る。あるいは、スイッチピレクサ２２０は、１つ又はそれ以上の外部（たとえば、ディスクリート）コンポーネントによって実施され得る。
【００２０】
アンプ２３０は、受信機無線機ための１つ又はそれ以上の低ノイズアンプ（ＬＮＡ）、送信器無線機のための１つ又はそれ以上のパワーアンプ（ＰＡ）、及び／又は他のアンプを含み得る。１つの設計において、アンプ２３０は、無線機２４０の一部であり得、各アンプは、特定の無線機のために使用され得る。他の設計において、アンプ２３０は、適切に、無線機２４０間で共有され得る。たとえば、与えられたＬＮＡは、同一の周波数（たとえば、２．４ＧＨｚ）上で動作する多重受信機無線機をサポートし得、任意の与えられた瞬間にこれら受信機無線機の任意の１つのための使用のために選択され得る。同様に、与えられたＰＡは、同一の周波数上で動作する複数の送信器無線機をサポートし得、任意の与えられた習慣にこれら送信器無線機の任意の１つのための使用のために選択され得る。コントローラ２７０は、アンプ２３０及び無線機２４０を制御し得る。１つの設計において、書き込みのみの能力（write-only capability）はサポートされ得、コントローラ２７０は、利用可能な情報に基づいてアンプ２３０及び無線機２４０の動作を制御し得る。他の設計において、読み込み及び書き込みの能力（read-and-write capability）はサポートされ得、コントローラ２７０は、アンプ２３０及び／又は無線機２４０に関する情報を回収し得、その動作及び／又はアンプ２３０並びに無線機２４０の動作を制御するため回収された情報を使用し得る。スイッチピレクサ２２０は、アンプ２３０（たとえば、ＬＡＮ及び／又はＰＡ）を割り当て及び共有するために利用され得、ここでアンプ２３０は、無線機器１１０上で無線機２４０の全てをサポートするために必要とされるアンプの数を減少させ得る。
【００２１】
無線機２４０ａから２４０ｎは、任意の上に記述されたネットワーク並びにシステム及び／又は他のネットワーク若しくはシステムによって無線機器１１０のための通信をサポートし得る。たとえば、無線機２４０は、３ＧＰＰ２携帯ネットワーク（たとえば、ＣＤＭＡ  １Ｘ、１ｘＥＶＤＯなど）、３ＧＰＰ携帯ネットワーク（たとえば、ＧＳＭ（登録商標）、ＧＰＲＳ、ＥＤＧＥ、ＷＣＤＭＡ、ＨＳＰＡ、ＬＴＥなど）、ＷＬＡＮ、ＷｉＭＡＸネットワーク、ＧＰＳ、ブルーツース、放送ネットワーク（たとえば、ＴＶ、ＦＭ、メディアＦＬＯＴＭ、ＤＶＢ−Ｈ、ＩＳＤＢ−Ｔ、ＡＴＳＣ−Ｍ／Ｈなど）、近距離無線通信、無線周波数個体識別（Radio Frequency Identification）（ＲＦＩＤ）などによって通信をサポートし得る。無線機２４０は、出力無線周波数（ＲＦ）信号を生成できる送信器無線機、及び受信したＲＦ信号を処理できる受信機無線機を含み得る。各送信器無線機は、デジタルプロセッサ２５０から１つ又はそれ以上のベースバンド信号を受信し、ベースバンド信号を処理し、及び、１つ又はそれ以上のアンテナを通じて送信のための１つ又はそれ以上の出力ＲＦ信号を生成し得る。各受信機無線機は、１つ又は複数のアンテナから１つ又はそれ以上の受信されたＲＦ信号を得られ、及びデジタルプロセッサ２５０へ１つ又はそれ以上のベースバンド信号を供給し得る。各無線機は、フィルタリング、二重化、周波数転換、増幅制御などのような様々な機能を実行し得る。
【００２２】
デジタルプロセッサ２５０は、無線機２４０ａから２４０ｎに接続し得、無線機２４０を通じて送信又は受信されたデータを処理するような様々な機能を実行し得る。各無線機２４０のための処理は、その無線機によってサポートされた無線技術に依存し得、符号化、復号化、変調、復調、暗号化、暗号解読などを含み得る。
【００２３】
測定ユニット２６０は、アンテナ２１０の様々な特性及び／又はアンテナ２１０に関する様々な量を監視し測定し得る。測定は、アンテナ間のアイソレーション、受信信号強度（received signal strength indicator）（ＲＳＳＩ）などのためであり得る。測定は、無線機のためのアンテナを選択するため、よい性能を得るため選択されたアンテナの動作性質を調整するためなどに、使用され得る。測定ユニット２６０はまた、無線機２４０のような、無線機器１１０内にある他のユニットに関連した様々な特性及び／又は量を監視し測定し得る。測定ユニット２６０は、測定させ結果を供給させるように（たとえば、バス２９２を通じてコントローラ２７０によって）制御され得る。簡潔さのために図２に示されていないが、測定ユニット２６０はまた、無線機及び／又はアンテナに試験信号を供給し無線機及び／又はアンテナで信号を測定するために、スイッチピレクサ２２０、アンテナ２１０、及び／又は無線機２４０をインターファイスで連動させ得る。測定ユニット２６０の動作は、以下に詳細に記述される。
【００２４】
コントローラ２７０は、無線機器１１０内にある様々なユニットの動作を制御し得る。１つの設計において、コントローラ２７０は、アプリケーションのためよい性能を得るために無線機器１１０上で実行中にアプリケーションのため無線機を選択し得る接続マネージャ（ＣｎＭ）２７２を含み得る。１つの設計において、コントローラ２７０は、よい性能を得るために無線機の動作を制御し得る共存マネージャ（ＣｘＭ）２７４を含み得る。接続マネージャ２７２及び／又は共存マネージャ２７４は、データベース２９０にアクセスを持ち、ここで、データベース２９０は、無線機及び／又はアンテナを選択し、無線機及び／又はアンテナの動作を制御するために使用される情報などを格納し得る。メモリ２８０は、無線機器１１０内にある様々なユニットのためのデータ及びプログラムを格納し得る。メモリ２８０はまた、データベース２９０を格納し得る。
【００２５】
図２に示される１つの設計において、バス２９２は、無線機器１１０内にある様々なユニットを相互に関連付け得、これら様々なユニット間の通信（たとえば、データを交換及びメッセージを制御する）をサポートする。バス２９２は、バスを当てにしている全てのユニットの帯域幅及びレイテンシ（latency）要求を満たすために設計され得る。バス２９２は、ＳＬＩＭバスなどのような様々な設計によって実施され得る。バス２９２はまた、同期又は非同期方式において動作し得る。図２に示されない他の設計において、無線機器１１０内のあるユニット間の通信は、１つ又はそれ以上の他のバス及び／又は専用の制御ラインを通じて達成され得る。たとえば、シリアルバスインターフェイス（ＳＢＩ）は、インピーダンス制御要素２１２、スイッチピレクサ（switchplexer）２２０、アンプ２３０、無線機２４０、及びコントローラ２７０に接続され得る。ＳＢＩは、様々なＲＦ回路の動作を制御するために使用され得る。
【００２６】
簡潔さのために、１つのデジタルプロセッサ２５０、１つのコントローラ２７０及び１つのメモリ２８０は、図２に示される。一般に、デジタルプロセッサ２５０、コントローラ２７０及びメモリ２８０は、任意の数及び任意のタイプのプロセッサ、コントローラ、メモリなどを備え得る。たとえば、デジタルプロセッサ２５０及びコントローラ２７０は、１つ又はそれ以上のプロセッサ、マイクロプロセッサ、中央演算処理装置（ＣＰＵ）、デジタル信号プロセッサ（ＤＳＰ）、縮小命令セットコンピュータ（ＲＩＳＣ）、先進ＲＩＳＣマシン（advanced RISC machines）（ＡＲＭ）、コントローラなど備え得る。デジタルプロセッサ２５０、コントローラ２７０及びメモリ２８０は、１つ又はそれ以上の集積回路（ＩＣ）、特定用途向け集積回路（ＡＳＩＣ）上などで実施され得る。たとえば、デジタルプロセッサ２５０、コントローラ２７０及びメモリ２８０は、モバイルステーションモデム（Mobile Station Modem）（ＭＳＭ）ＡＳＩＣ上で実施され得る。
【００２７】
図２は、無線機器１１０の設計例を示す。無線機器１１０はまた、図２に示されていない、異なる及び／又は他のユニットを含み得る。
【００２８】
図３は、無線機器１１０内にある様々なユニットのレイアウト例を示す。アウトライン３１０は、無線機器１１０の物理的外装を表し得る。アンテナ２１０は、回路によって表され、インピーダンス制御要素２１２は、図３におけるブラックボックスによって表される。アンテナ２１０は、（図３に示されるように）物理的外装の淵の近くに形成され得、また（図３に示されない）物理的外装全体に又は任意のプリント回路基板（printed circuit board）（ＰＣＢ）上に分配され得る。インピーダンス制御要素２１２は、アンテナ２１０とスイッチピレクサ２２０との間に接続され得る。各インピーダンス制御要素２１２は、割り当てられたアンテナ２１０の近くに設置され得、割り当てられたアンテナ２１０をスイッチピレクサ２２０へ相互に関連づける物理的トレース３１２に接続され得る。物理的トレース３１２は、プリント回路基板上で作り上げられ又はプリント回路基板内で具体化され得、ＲＦケーブル及び／又は他のケーブルによって実施され得る。各インピーダンス制御要素２１２はまた、（図３に示されない）バス２９２に接続され得、バス２９２を通じてコントローラ２７０によって制御され得る。スイッチピレクサ２２０は、物理的トレース３１２を通じてアンテナ２１２に接続され得、またアンプ２３０に接続され得もする。アンプ２３０は、さらに無線機２４０を接続し、ここで、無線機２４０はデジタルプロセッサ２５０へ接続され得る。測定ユニット２６０は、スイッチピレクサ２２０に接続し、物理的トレース３１２上の信号を供給及び／又は測定し得る。コントローラ２７０は、バス２９２を通じて無線機器１１０内にある様々なユニットの動作を制御し得る。
【００２９】
無線機器１１０は、一般的に、特定のプラットフォーム上でサポートされることができるアンテナの数を限定する小さなサイズを持つ。無線機器１１０によって要求されるアンテナの数は、無線機の数及び無線機器１１０によってサポートされる周波数帯の数に依存し得る。より多数のアンテナはまた、ダイバーシティ受信、送信ビームフォーミング、ＭＩＭＯなどのような様々な動作モードをサポートするために要求され得もする。専用アンテナは、異なる無線機、周波数帯、及び動作モードをサポートするために使用され得る。このケースにおいて、比較的多数のアンテナは、無線機器１１０によってサポートされる全ての無線機、周波数帯、及び動作モードのために要求され得る。
【００３０】
表１は、無線機器のためのアンテナのセット例を表にする。表１に示されるように、多数のアンテナは、異なる無線機、周波数帯、及び動作モードをサポートするために要求され得る。より多数のアンテナは、表１に一覧されているそれらよりも多数の無線機、周波数帯をサポートするために要求され得る。たとえば、将来の無線機器は、３ＧＰＰ及び３ＧＰＰ２標準において指定された４０又はそれ以上の周波数帯をサポートし得る。
【表１】
2013516110.tif 000003
【００３１】
ある態様において、アンテナのセットは、無線機器によって要求されるアンテナの数を減少させるために無線機器上で無線機のセットによって共有され得る。１つの設計において、アンテナ共有は、（必要なときはいつでも）動的に（現在の状況に基づいて）最適に実行され得る。１つ又はそれ以上の適切なアンテナは、任意の与えられた瞬間に１つ又はそれ以上の活動中の無線機のために選択され得る。これは、いかなる無線機が使用のために選択されるかに関わらずよい性能を確実にし得る。アンテナの数が無線機器によってサポートされる無線の数よりも小さい場合、アンテナ共有は特に利益があり、ここで、その場合は、複数機能無線機器のためのケースでしばしばあり得る。
【００３２】
図４は、７つの異なる無線機器Ｄ１からＤ７によるアンテナ共有の異なるレベルを示す。無線機、周波数帯、及び動作モードの異なる組み合わせは、図４の左側に一覧されている。各無線機器によってサポートされる無線機、周波数帯、動作モードは、無線機器の下に点のセットによって表示される。たとえば、無線機器Ｄ１は、ブルーツース、ＷＬＡＮ、ＧＰＳ、ＷＷＡＮ／携帯、ＦＭ、及び放送をサポートする。各無線機器に関する点のセットはまた、無線機器のためのアンテナのセットを表す。黒塗りの点は、特定の無線機のために使用される専用アンテナを表す。白い点は、特定の無線機のために使用される専用アンテナであり、点がリンクされている他の無線機によって共有もされる。「×」を含む点は、将来の無線機のために使用され得るアンテナを表す。たとえば、無線機器Ｄ１は、２４００ＭＨｚでブルーツースのために使用されＷＬＡＮによって共有されるアンテナ４１２を含む。
【００３３】
図４に示すように、より多数の無線機がサポートされるに従って（たとえば、無線機Ｄ１からＤ２へ、そしてＤ３へ、そしてＤ４へ行く）、アンテナの数は増加する。アンテナ共有は、無線機、動作周波数帯、無線機の物理的位置、無線機器１１０の大きさ及び形などの間で同時利用するケースのような様々な要因に基づいて可能であったりなかったりする。無線機Ｄ６は、アンテナのセットへ無線機を関連づけることができるスイッチピレクサを含む。無線機Ｄ７は、ビームステアリングのために使用されることができる多重アンテナを含む。
【００３４】
図５は、無線機においてアンテナ共有をサポートするために使用され得るスイッチピレクサ２２０の設計のブロック図を示す。スイッチピレクサ２２０は、図２及び３におけるスイッチピレクサ２２０の１つの設計であり得る。スイッチピレクサ２２０のは、入力のセット及び出力のセットを含み得る。入力は、無線機によってサポートされる異なる無線機へ接続され得る。図５は、サポートされ得る無線機のセット例を示す。図５において、双方向通信をサポートする各無線技術（たとえば、ＷＬＡＮ）は、二重線−送信器無線機のための１つの線及び受信機無線機のための他の線−によって表される。単一方向通信をサポートする各無線技術（たとえば、ＧＰＳ）は、受信機無線機のための単一の線によって表される。
【００３５】
一般に、スイッチピレクサ２２０は、Ｍ個のアンテナに関するＭ個の出力へＮ個のアンテナに関するＮ個の入力のサブセットを関連づけることができる構成可能なアンテナスイッチ行列によって実施され得る。スイッチピレクサ２２０は、ＲＦスイッチ及び／又は他の回路コンポーネントによって実施され得る。スイッチピレクサ２２０はまた、マイクロ電気機械システム（micro-electromechanical systems）（ＭＥＭＳ）コンポーネント、圧電薄膜共振子（thin film bulk acoustic resonator）（ＦＢＡＲ）フィルタ、Ｓｉ  ＭＥＭ共振子、スイッチコンデンサ、インテグレイドパッシブデバイス（integrated passive devices）（ＩＰＤ）、制御可能なインピーダンス要素、及び／又は高品質、低ロス、高直線性などを得るための他の回路によって実施され得もする。
【００３６】
スイッチピレクサ２２０はまた、多重小さなスイッチピレクサ２２０及び／又はＲＦスイッチによって実施され得もする。たとえば、スイッチピレクサ２２０は、（１）無線機の第１セット及びアンテナの第１セットに接続された第１スイッチピレクサ、及び（２）無線機の第２セット及びアンテナの第２セットに接続された第２スイッチピレクサを含み得る。アンテナの異なるセットは、アンテナの異なる周波数帯、異なる無線技術、異なるタイプなどに相当し得る。たとえば、１つのセットは、無線機の１つのセットのための専用アンテナを含み得、他のセットは、無線機の他のセットのための共有されたアンテナを含み得る。
【００３７】
１つの設計において、図２におけるＭ個のアンテナ２１０から２１０ｍは、それぞれ共有されたアンテナであり得る。共有されたアンテナは、２つ又はそれ以上の無線機（たとえば、ＷＬＡＮ及びブルーツースのための）のために使用され得るアンテナである。共有されたアンテナは、任意の与えられた瞬間に１つの無線機のために、又は、同時に複数の無線機のために、使用され得る。他の設計において、Ｍ個のアンテナ２１０ａから２１０ｍは、少なくとも１つの専用アンテナ及び少なくとも１つの共有されたアンテナを含み得る。専用アンテナは、特定の無線機のために使用されるアンテナである。両設計に関して、共有された（複数の）アンテナは、良い性能が得られることができるような活動中の無線機に割り当てられ得る。
【００３８】
図６は、２つの活動中のアンテナ及び４つのアンテナのケースための動的アンテナ選択の例を示す。ＷＷＬＡＮ無線機２４０ｘは、１つのプライマリアンテナ又はプライマリアンテナ並びにダイバーシティアンテナの両者によって動作し得る。ＷＬＡＮ無線機２４０ｙは、２、３又は４つのアンテナによってＭＩＭＯ動作をサポートし得る。より多数のアンテナは、スループットを上昇させ及び／又は他の性能メトリックを改善するため、ＷＬＡＮ無線機２４０ｙに関して使用され得る。しかしながら、少なくとも１つのアンテナは、ＷＷＡＮ無線機の最小スループット要求を満足させるためにＷＷＬＡＮ無線機２４０ｘに関して必要とされ得る。スイッチピレクサ２２０ｙは、各無線機をそれの割り当てられた（複数の）アンテナに接続し得る。
【００３９】
時刻Ｔ１で、ＷＷＡＮ無線機２４０ｘは、１つのアンテナ１に割り当てられ得、ＷＬＡＮ無線機２４０ｙは、３つのアンテナ２、３及び４に割り当てられ得る。ＷＷＡＮ無線機２４０ｘ及びＷＬＡＮ無線機２４０ｙの性能は、監視され得る。ＷＷＡＮ無線機２４０ｘがＷＷＡＮ無線機の最小スループット要求を満たさないという決定がなされ得る。その結果、時刻Ｔ２で、ＷＷＡＮ無線機２４０ｘは、ダイバーシティ改善のための２つのアンテナ２及び４に割り当てられ得る。それの最小スループット要求は満たされるのであるから、ＷＬＡＮ無線機２４０ｙは、そのとき、２つの現在のアンテナ１及び３に割り当てられ得る。
【００４０】
一般に、任意の数の無線機は、任意の与えられた瞬間に活動中になり得、任意の数のアンテナは、利用可能になり得る。たとえば、ブルーツース、ＧＰＳ、及び／又は他の無線機は、ＷＷＡＮ無線機２４０ｘ及びＷＬＡＮ無線機２４０ｙによって独立に活動中となり得、またアンテナは、これら他の活動中の無線機に割り当てられ得る。
【００４１】
図６において示されるように、与えられた無線機は、その要求に基づいて構成可能な数のアンテナに割り当てられ得る。無線機に割り当てられたアンテナの数は、無線機及び他の無線機の達成される性能、チャンネル条件における変化、無線機及び他の無線機の要求における変化、手の置く位置、アイソレーション変化などによって徐々に変化し得る。無線機はまた、無線機及び他の無線機の性能及び要求、利用可能なアンテナなどに基づいて、異なる時期に異なるアンテナに割り当てられ得もする。無線機に割り当てるアンテナの数及び割り当てられる特定のアンテナの数は、以下に記述されるような様々なメトリックに基づいて決定され得る。図６において示される例において、ＷＷＡＮ無線機２４０ｘは、時刻Ｔ１でアンテナ１に割り当てられ、時刻Ｔ２でアンテナ２及び４に変わる。対応して、ＷＬＡＮ無線機２４０ｙは、時刻Ｔ１でアンテナ２、３及び４に割り当てられ、時刻Ｔ２でアンテナ１及び２に変わる。
【００４２】
１つの設計において、コントローラ２７０（たとえば、接続マネージャ２７２及び／又は併存マネージャ２７４）は、無線機器１１０上でいかなるアプリケーションが実行中であるか、同時にいかなる無線機が活動中であるか、無線機１１０の動作条件などのような様々な要因に基づいて、アンテナ２１０を選択し活動中の無線機２４０へ割り当てる。併存プログラムを探知した場合、コントローラ２７０は、様々な活動中の無線機の間を仲裁し得る。コントローラ２７０はまた、適切な無線機２４０及び周波数帯に関して割り当てられたインピーダンス制御要素２１２を通じて各アンテナ２１０のチューニングを制御し得る。コントローラ２７０は、活動中の無線機に関して、受信ダイバーシティ、選択ダイバーシティ、ＭＩＭＯ、ビームフォーミングなどのためのアンテナを構成し得る。
【００４３】
コントローラ２７０は、活動中の無線機に割り当てられたアンテナにこれらのアンテナを接続するためのスイッチピレクサ２２０の構成及び動作を制御し得る。この制御は、構成可能な又は固定のマッピングに基づき、ここでマッピングは、リアルタイム又はアプリオリな測定が利用可能かどうかに依存する。スイッチピレクサ２２０は、固定された数のアンテナ２１０へ無線機２４０のサブセットを相互に関連づける能力のよって構成可能なアンテナスイッチ行列を実施し得る。たとえば、コントローラ２７０は、音声又はデータ通信の間、ダイバーシティのためのＷＷＡＮ無線機へ多様のアンテナを割り当て得る。ＷＷＡＮ無線機が利用できない場合、または要求が命令するか、いくつかの他の基準に基づく場合、コントローラ２７０は、ダイバーシティ又はＭＩＭＯのためＷＬＡＮ無線機へこれら複数のアンテナの１つ又はそれ以上を変え得る。
【００４４】
スイッチピレクサ２２０とともにコントローラ２７０は、様々な機能を実行し得、それは次の１つ又はそれ以上を含み得る。
【００４５】
・時分割複信（time division duplex）（ＴＤＤ）ネットワークと通信するための送信器無線機と受信機無線機との間の切り替えをサポートする
・時分割複信（time division duplex）（ＴＤＤ）ネットワークと通信するための送信器無線機と受信機無線機との間で二重通信することをサポートする
・無線機及び／又はアンテナの切り替えるモード／バンドをサポートする
・ビームステアリングのためのアンテナ出力を制御する
・適応できる／チューニングできるアンテナマッチングを供給する
・チューニングできる／切り替え可能なＲＦフィルタ、切り替えられたフィルタバンク、チューニングできるマッチングネットワークなどによる構成可能なＲＦフロントエンド（ＲＦＦＥ）をサポートする
アンテナ選択をサポートするためのコントローラ２７０の使用は、様々な利点を供給し得る。たとえば、コントローラ２７０は、活動中の無線機の間の干渉を和らげ、無線機器１１０によって要求されるアンテナの数を減少させ、動的にシステムリソースを割り当て、性能を改善し、向上した利用者の経験を供給することができ得る。
【００４６】
他の態様において、無線機器１１０は、良い性能を得るために変化されることができる１つ又はそれ以上の構成可能なアンテナを含み得る。構成可能なアンテナは、様々な設計によって実施され得、アンテナの動作特性を変更するために変化され得る１つ又はそれ以上の特徴を持ち得る。たとえば、構成可能なアンテナの１つ又はそれ以上の物理的な寸法（たとえば、長さ及び／又はサイズ）は、変化され得る。
【００４７】
図７Ａは、構成可能なアンテナ２１０ｘの設計のブロック図を示し、ここで、アンテナ２１０ｘは、図２における無線機器１１０上でアンテナ２１０ａから２１０ｍの任意の１つのために使用され得る。図７Ａにおいて示される設計において、アンテナ２１０ｘは、Ｌ個のアンテナセグメント７１０ａから７１０ｌを含み、ここでＬは、任意の整数値であり得る。Ｌ個のアンテナセグメント７１０は、同一の長さ及び幅寸法又は異なる寸法を持ち得る。図７Ａにおいて示された設計において、Ｌ−１個のスイッチ（ｓｗ）７１２ａから７１２ｋは、Ｌ個のアンテナセグメント７１０ａから７１０ｌの間で接続され、それは、２つのアンテナセグメントの間で接続された各スイッチ７１２による。各スイッチ７１２は、スイッチに２つのアンテナセグメントを接続させるため動作され得る。異なる数のアンテナセグメント７１２は、スイッチ７１２の動作する異なる組み合わせによって一緒に接続され得る。簡潔さのために図７Ａにおいて示されないが、バイパス経路は、接続されていないアンテナセグメント周辺の信号を発送するために使用され得る。たとえば、現在のアンテナセグメント７１０ｂから７１０ｋが接続されていない場合、バイパス経路は、アンテナ２１０ｘの出力へアンテナセグメント７１０ａを接続するために使用され得る。制御ユニット７２０は、１つ又はそれ以上の所望されたアンテナセグメントが接続されたようなスイッチ７１２ａから７１２ｋのため、アンテナ制御を受信し、制御信号を生成し得る。
【００４８】
図７Ｂは、構成可能なアンテナ２１０ｙの設計のブロック図を示し、ここで、アンテナ２１０ｙはまた、図２における無線機器１１０上のアンテナ２１０ａから２１０ｍの任意の１つのために利用され得もする。図７ｂにおいて示された設計において、アンテナ２１０ｙは、Ｌ個のアンテナセグメント７４０ａから７４０ｌを形成するトレース７３０を含み、ここで、Ｌは任意の整数値であり得る。各セグメント７４０は、１つの開口端を持つループにおいて整えられる。Ｌ個のアンテナセグメント７４０は、同一の寸法又は異なる寸法を持ち得る。図７Ｂにおいて示される設計において、Ｌ個のスイッチ７４２ａから７４２ｌは、それぞれＬ個のアンテナセグメント７４０ａから７４０ｌに接続され、これは、各アンテナセグメント７４０の開口端の間で接続された各スイッチ７４２による。各スイッチ７４２は、割り当てられたアンテナセグメント７４０の開口端を接続し本質的にアンテナセグメントを迂回するため動作され得る。異なる数のアンテナセグメント７４０は、スイッチ７４２の動作する異なる組み合わせによって迂回され得る。制御ユニット７５０は、１つ又はそれ以上の所望されたアンテナセグメントが選択され現在のアンテナセグメントが迂回されるようなスイッチ７４２ａから７４２ｌのためアンテナ制御を受信し制御信号を生成し得る。
【００４９】
図７Ａ及び７Ｂは、構成可能なアンテナ２１０ｘ及び２１０ｙの設計例を示す。
【００５０】
図８Ａは、インピーダンス制御要素２１２ｘの設計のブロック図を示し、ここで、インピーダンス制御要素２１２ｘは、図２における無線機器１１０上のインピーダンス制御要素２１２ａから２１２ｍの任意の１つのために使用され得る。図８Ａにおいて示される設計において、インピーダンス制御要素２１２ｘは、直列インピーダンス回路８１０及び側路インピーダンス回路８１２を含む。直列インピーダンス回路８１０は、インピーダンス制御要素２１２の入力と出力との間に接続される。側路インピーダンス回路８１２は、インピーダンス制御要素２１２ｘの出力と回路グランドとの間に接続される。各インピーダンス回路は、１つ又はそれ以上のインダクタ、１つ又はそれ以上のコンデンサなどによって実施され得る。各インピーダンス回路は、調整可能であり得（図８に示されるように）、又は固定であり得る。調整可能なインピーダンス回路は、調整可能なコンデンサ及び／又はいくつかの他の調整可能な回路用を持ち得る。異なるインピーダンスは、インピーダンス制御要素２１２ｘ内にある調整可能な（複数の）インピーダンス回路を変化させることによって得られ得る。
【００５１】
図８Ｂは、他のインピーダンス制御要素２１２ｙの設計のブロック図を示し、ここで、インピーダンス制御要素２１２ｙはまた、図２における無線機器１１０上のインピーダンス制御要素２１２ａから２１２ｍの任意の１つのために使用され得もする。インピーダンス制御要素２１２ｙは、図８Ａにおけるインピーダンス制御要素２１２ｘにおける直列インピーダンス回路８１０及び側路インピーダンス回路８１２を含む。インピーダンス制御要素２１２ｙは、さらにインピーダンス制御要素２１２ｙの入力と回路グランドとの間に接続された側路インピーダンス回路８１４を含む。各インピーダンス回路は、調整可能であり得、又固定され得る。異なるインピーダンスは、インピーダンス制御要素２１２ｙ内にある調整可能な（複数の）インピーダンス回路を変化させること得られ得る。
【００５２】
図８Ａ及び８Ｂは、インピーダンス制御要素２１２ｘ及び２１２ｙの設計例を示す。インピーダンス制御要素はまた、他の設計によって実施され得もする。たとえば、インピーダンス制御要素は、制御におけるより高い柔軟性を供給するためインピーダンス回路の多様なステージによって実施され得る。
【００５３】
また他の態様において、測定は、利用可能なアンテナのためになされ得、使用のためのアンテナを選択し、及び／又は、活動中の無線機にアンテナを割り当てるために使用され得る。測定の様々なタイプは、利用可能なアンテナのためになされ得、アイソレーション測定、ＲＳＳＩ測定などを含み得る。
【００５４】
１つの設計において、無線機器１１０上のアンテナ２１０間のアイソレーションは、リアルタイム及び／又はアプリオリに測定され得る。１つの設計において、アンテナ間のアイソレーションは、アンテナの異なる組み合わせのため及びもしかするとアンテナの異なる構成可能なセッティング、インピーダンス制御要素の異なるチューニングステージ、及び／又は異なる機器動作ステージ（たとえば、ことなるパワーアンプレベル）のために測定され得る。アイソレーション測定は、アンテナを選択及び割り当てるために使用され得る。アイソレーション測定はまた、無線機器１１０上に格納され得、アンテナを選択及び割り当てるための使用のため、もっと遅い時期に取り戻され得る。
【００５５】
アイソレーションは、アンテナ間での相互接続に関連し、その環境によりアンテナの相互作用に依存する。アイソレーションは、無線機器１１０に関する
手の位置、本体の場所及び近接、周辺、ケースの目的などによって変化し得る。アイソレーションは、アンテナのタイプ、アンテナの形状、基板上のアンテナの場所などによって決まり得る。たとえば、異なるアンテナのタイプ及び形状は、同一の物理的間隔及び配置のためでさえアイソレーションの異なるレベルの結果となり得る。減少したアイソレーションは、減少した効力、ゲイン、ダイバーシティ性能などのような不利にアンテナの性能に影響を及ぼし得る。アイソレーションはまた、設計された帯域幅及び中心周波数からアンテナの帯域幅及び／又は中心周波数内において変化を生じ得もする。その結果、減少したアイソレーションはまた、無線性能、レンジ、バッテリーの寿命、スループット及び通信品質を落とし得もする。
【００５６】
アイソレーションは、Ｍポート機器の散乱又はＳ個のパラメータ（例えば、周波数の結果として）によって所望され得、ここで、Ｍポート機器は無線機器１１０上のＭ個のアンテナ２１０ａから２１０ｍのＭ個の端末に相当し得る。アイソレーション又は相互接続は、無線機２４０の性能を決定することにおいて重要な基準であり得、またアンテナ間の相互関係を計算するために利用され得、ここで、それはＭＩＭＯ送信、送信ダイバーシティなどの性能に影響を及ぼし得る。
【００５７】
１つの設計において、２つひと組のアイソレーションは、無線機器１１０上のアンテナの異なるペアのために測定され得る。２つアンテナｉとｊとの間の２つひと組のアイソレーションは、周波数ｆの結果となり得、Ｉｉ，ｊ（ｆ）としてあらわされ得、ここで、ｉ，ｊ＝１，２，．．．，Ｍ及びｉ≒ｊである。
【００５８】
図９は、２つのアンテナｉ及びｊに関する２つひと組のアイソレーションを測定する設計を示し、ここで、アンテナｉ及びｊは、無線機器１１０上のＭ個のアンテナ２１０ａから２１０ｍの任意の２つであり得る。図２における測定ユニット２６０の１つの設計であり得る測定ユニット２６０ａ内で、信号ソース９１０は、アンテナｉへ及び接続器９１２へもテスト信号を供給し得る。信号ソース９１０は、無線機器１１０上の個別の発振器であり得、ここで、個別の発振器は固有周波数へチューニングされ得る。接続器９１２は、測定回路９２０へテスト信号の一部を接続し得、ここで、測定回路９２０はまたアンテナｊから入力信号を受信し得る。測定回路９２０は、接続器９１２からの接続された信号及びアンテナｊからの入力信号の電圧、電流、パワー、及び／又はいくつかの他の電気的特性を測定し得る。ユニット９２０からの測定は、アンテナｉとｊとの間の２つひと組のアイソレーションを決定するために使用され得る。たとえば、ユニット９２０は、接続された信号及び入力信号に関して電圧測定を共有し得、ここで電圧測定はアンテナｉ及びｊに関して次のように散乱パラメータ（又は、Ｓパラメータ）を計算するために使用され得る：
【数１】
2013516110.tif 000004
【００５９】
ここで、Ｖｉ（ｆ）は、アンテナｉへ供給されたテスト信号の測定された電圧であり、Ｖｊ（ｆ）は、アンテナｊからの入力信号の測定された電圧であり、Ｓｉ，ｊ（ｆ）は、アンテナｉ及びｊに関するＳパラメータである。
【００６０】
アンテナｉとｊとの間の２つひと組のアイソレーションは、アンテナｉ及びｊに関するＳパラメータに基づいて次のように計算され得る：
【数２】
2013516110.tif 000005
【００６１】
ここで、Ｉｉ，ｊ（ｆ）は、アンテナｉとｊとの間の２つひと組のアイソレーションである。
【００６２】
ＳパラメータＳｉ，ｊ（ｆ）は、複素数量である。アイソレーションＩｉ，ｊ（ｆ）は、式２において定義されたように正のスカラー量である。テスト信号の測定されたパワーは、接続器９１２からの接続された信号の測定されたパワーと接続器９１２に関する接続係数とを掛けた値と同等であり得る。式１及び２において示されたように、２つひと組のアイソレーションは、１つのアンテナへ供給される出力信号の電圧に対する、他のアンテナから受信された入力信号の電圧の比率に基づいて決定され得る。より大きいＩｉ，ｊ（ｆ）値は、アンテナ間のより良いアイソレーションに相当するだろう。「接続」という用語は、アイソレーションの逆であり得、小さな接続又は大きなアイソレーションを持つことは望まれる。
【００６３】
２つひと組のアイソレーション測定は、無線機器１１０上でアンテナの異なるペアのために得られ得る。各アンテナペアのための２つひと組のアイソレーション測定は、ペアにおいて１つのアンテナを励起させること、及びペアにおいて他のアンテナへ接続することを測定することによって得られ得る。１つの設計において、２つひと組のアイソレーションは、次のように、無線機器１１０上のＭ個のアンテナ２１０ａから２１０ｍのために測定され得る。テスト信号は、アンテナ２１０ａに適用され得、それぞれ現在のアンテナ２１０ｂから２１０ｍからの入力信号は、測定され得る。２つひと組のアイソレーションＩ１，２（ｆ）からＩｉ，Ｍ（ｆ）は、アンテナ２１０ａから２１０ｍのための測定に基づいて計算され得る。同一のプロセスは、各アンテナ２１０ｂから２１０ｍのために繰り返され得る。一般に、テスト信号は、一度に１つの送信アンテナに適用され得、現在のＭ−１個の受信アンテナに対する影響は、測定され得る。Ｍ×Ｍ散乱行列は、Ｍ個のアンテナ２１０のために得られ得、ここで、それはアンテナｉとｊとの間の２つひと組のアイソレーションに相当するｉ行ｊ列におけるエントリーＳｉ，ｊ（ｆ）による。コントローラ２７０は、適切なアンテナに適用されるためテスト信号を向け得、また全ての影響を及ぼされるアンテナのための測定を実行するため測定ユニット２６０を指揮し得もする。コントローラ２７０は、測定ユニット２６０から得られた測定に基づいて異なるアンテナのペアのためのアイソレーションを計算し得る。
【００６４】
１つの設計において、より良いアイソレーションを持つアンテナは、使用のために選択され得る。たとえば、動作の特定の周波数においてＩ１，２（ｆ）＞Ｉ１，３（ｆ）である場合、そのとき、アンテナ１及び２は、アンテナ１及び３の代わりに使用のために選択され得る。
【００６５】
他の設計において、共同アイソレーションは、３つ又はそれ以上のアンテナの異なるセットのために測定され得る。共同アイソレーションは、少なくとも１つのアンテナと２つ又はそれ以上の他のアンテナとの間のアイソレーションを示す。多重送信器無線機及び少なくとも１つの受信機無線機が同時に動作する場合、共同アイソレーションは、特に適用し得る。このケースにおいて、送信器無線機のための複数の送信アンテナから少なくとも１つの受信機無線機のための少なくとも１つの受信アンテナへの共同アイソレーションは、アンテナ選択のために測定され使用され得る。多重送信アンテナｉからｊ及び受信アンテナｋを含むアンテナのセットのための共同アイソレーションは、周波数ｆによって決まり得、Ｉｉ，…，ｊ：ｋ（ｆ）のように表現され得、ここで、ｉ，…，ｊ，ｋ＝１，２，…，Ｍであり、ｉ≠…≠ｊ≠ｋである。多重送信アンテナｉからｊ及び多重受信アンテナｋからｍを含むアンテナのセットのための共同アイソレーションは、周波数ｆによって決まり得、Ｉｉ，…，ｊ：ｋ，…，ｍ（ｆ）のように表現され得る。
【００６６】
図１０は、アンテナのセットのための共同アイソレーションを測定する設計を示し、ここで、アンテナは多重送信アンテナｉからｊ及び受信アンテナｋを含み得る。アンテナｉからｋは、無線機器１１０上の任意の３つ又はそれ以上のＭ個のアンテナ２１０ａから２１０ｍであり得る。
【００６７】
図２において測定ユニット２６０の１つの設計であり得る測定ユニット２６０ｂ内で、多重信号ソース１０１０ｉから１０１０ｊは、それぞれ多重アンテナｉからｊへ、またそれぞれ多重接続器１０１２ｉから１０１２ｊへも、テスト信号を供給し得る。各接続器１０１２は、測定回路１０２０へそのテスト信号の一部を接続し得、ここで、測定回路１０２０はまた受信アンテナｋから入力信号を受信し得もする。測定回路２０１０は、各接続器１０１２から接続された信号及び受信アンテナｋからの入力信号の電圧、電流、パワー、及び／又はいくつかの他の電気的特性を測定し得る。ユニット１０２０からの測定は、送信アンテナｉからｊと受信アンテナｋとの間の共同アイソレーションを決定するために使用され得る。たとえば、ユニット１０２０は、接続された信号及び入力信号に関する電圧測定を供給し得、ここで、それは次のようにアンテナｉ，…，ｊ及びｋの間の共同アイソレーションを計算するために利用され得る：
【数３】
2013516110.tif 000006
【００６８】
ここで、ｇ｛｝は、共同アイソレーションに関する適切な関数、対、異なる送信及び受信アンテナに関する電圧測定である。より大きなＩｉ，…，ｊ：ｋ（ｆ）値は、送信アンテナと１つ又はそれ以上の受信アンテナとの間のより良い共同アイソレーションに相当し得る。
【００６９】
１つの設計において、共同アイソレーションは、次のように、無線機器上のＭ個のアンテナ２１０ａから２１０ｍのために測定され得る。Ｑ個のテスト信号は、Ｑ個の送信アンテナに適用され得、ここで、Ｑ＞１で、及び現在のＭ−Ｑ個の受信アンテナからのＭ−Ｑ個の入力信号は、測定され得る。共同アイソレーションは、すべてのアンテナのための測定に基づいて、各Ｍ−Ｑ個の受信アンテナのためにそのとき決定され得る。たとえば、２つのテスト信号は、２つの送信アンテナ１及び２に適用され得、共同アイソレーションＩ１，２：３（ｆ）からＩ１，２：Ｍ（ｆ）は、それぞれ現在の受信アンテナ３からＭのために得られ得る。同様のプロセスは、送信アンテナの他の組み合わせのために繰り返され得る。各組み合わせのため、テスト信号は、送信アンテナに適用され得、現在の受信アンテナへの影響は、測定され得る。共同アイソレーションのためのパラメータの数は、２つひと組のアイソレーションのためのパラメータの数よりも大きく成り得、ここで、それは、より多くの測定及び記録リソースを要求し得る。しかしながら、共同アイソレーションは、異なるアンテナ間のより正確な指標を供給し得、アンテナ選択のためのよりよい性能を供給し得る。
【００７０】
一般に、アイソレーションは、アンテナの異なるセットのために測定され得、各セットは、２つ又はそれ以上のアンテナを含み得る。アイソレーションはまた、（１）アンテナに関連するインピーダンス制御要素の異なるチューニング状態及び／又は（２）異なる周波数のために測定され得もする。１つの設計において、アイソレーションは、アプリオリに測定され得（たとえば、製造段階中、調整又はセットアップ段階中、及び／又はフィールドにおいて）、アイソレーション測定は、アンテナ選択のために使用され得る。他の設計において、アイソレーションは、周期的に（たとえば、同期的に）又はきっかが生じた場合に（たとえば、非同期的に）測定され得、最新のアイソレーション測定は、アンテナ選択のために利用され得る。
【００７１】
上に示されるように、アンテナは、その帯域幅及び中心周波数を調整するためにチューニングされ得る。アンテナがチューニングされると、アンテナと他のアンテナとの間のアイソレーションは、変化し得る。１つの設計において、アンテナ間のアイソレーションは、アンテナの異なるチューニング状態のために測定され得る。たとえば、アンテナは、オン又はオフにアンテナのセグメントをチューニングすることによって、又は、そのインピーダンス制御要素又はマッチングネットワークを調整することによって、及び／又は、アンテナに関連する他の要素又は回路を変化させることによって、チューニングされ得る。アンテナがチューニングされると、アンテナの帯域幅及び中心周波数は、変化し得、アンテナの帯域幅が変更されると、アイソレーションは、改善し得る。
【００７２】
異なるチューニング状態のためのアンテナの異なるセットのためのアイソレーション測定は、使用のためのアンテナを選択するために使用され得る。１つの設計において、各アンテナのため、所望の性能（たとえば、所望の帯域幅及び中心周波数）を供給することができるチューニング状態は、考慮され得、現在のチューニング状態は、省略され得る。アンテナの各セットのために、これらのアンテナ間の最も良いアイソレーションを供給することができるアンテナのチューニング状態は、選択され得る。アンテナは、アンテナの異なるセットのための最も良いアイソレーションに基づいて、使用のためにそのとき選択され得る。アンテナはまた、他の方法におけるアンテナの異なるチューニング状態を評価することで使用のために選択され得もする。
【００７３】
１つの設計において、無線機器１１０上のアンテナ２１０間の相関は、リアルタイム及び／又はアプリオリに決定され得る。相関は、アンテナが他のアンテナからどの程度独立しているかの指標である。アンテナ間の相関は、ＭＩＭＯ、送信ダイバーシティ、受信ダイバーシティなどのための性能に大きな影響を持ち得る。特に、低い相関を持つアンテナは、高い相関を持つアンテナよりもより良い性能を供給することができ得る。
【００７４】
アンテナ間の相関は、ファーフィールド３次元（３Ｄ）放射アンテナパターンを測定することによって決定され得る。しかしながら、この測定は、実行することが難しく、典型的な無線機器において非現実的である。この測定の困難さは、アイソレーションと相関との間の関係を利用することによって予防され得る。
【００７５】
１つの設計において、アンテナのペアのための２つひと組の相関は、次のように、アンテナの異なるペアのための２つひと組のアイソレーション測定に基づいて計算され得る：
【数４】
2013516110.tif 000007
【００７６】
ここで、Ｓｉ，ｍ（ｆ）は、アンテナｉとｍとの間のＳパラメータであって、ρｉ，ｊ（ｆ）は、アンテナｉとｊとの間の２つひと組の相関である。
【００７７】
１つの設計において、アンテナ間の共同相関は、アンテナの異なる組み合わせのために、及び、もしかすると関連するインピーダンス制御要素の異なるチューニング状態並びに／若しくはアンテナの異なるセッティングのために、決定され得る。相関測定は、アンテナを選択し及び割り当てるために使用され得る。相関測定はまた、無線機器１１０上に格納され得もし、アンテナを選択し及び割り当てるため使用のためにより遅い時期に取り戻され得る。
【００７８】
無線機器１１０上のアンテナの異なるペアのための２つひと組の相関は、２つひと組のアイソレーション測定に基づいて決定され得る。アンテナは、相関測定に基づいて選択され得る。２つのアンテナは、最低／最小の相関を持つアンテナのペアを選択することによって選択され得る。たとえば、動作の特定の周波数においてρ１，２（ｆ）＞ρ１，３（ｆ）である場合、そのとき、アンテナ１及び２は、アンテナ１及び３の代わりに使用のため選択され得る。３つのアンテナは、２つの最小の相関値を持つアンテナの２つのペアを選択することによって選択され得る。アンテナはまた、他の方法における相関に基づいて選択され得もする。
【００７９】
１つの設計において、より多くのアンテナの３つのセットは、アンテナの異なるペアのための２つひと組のアイソレーション測定及び／又はより多くのアンテナの３つの異なるセットのための共同アイソレーション測定に基づいて計算され得る。適切な関数は、たとえば、２つひと組の相関のための式４と似ている方法において、共同相関のために定義され得る。そのとき、共同相関は、関数に従って適切なアイソレーション測定に基づいて計算され得る。
【００８０】
１つの設計において、アンテナ選択は、実施及び処理の複雑さを減少させるため静的な測定に基づいて実行され得る。１つの設計において、アイソレーション測定は、無線機器１１０上のアンテナ２１０のためにアプリオリに得られ得、データベース２９０において、たとえばルックアップテーブル（look-up table）（ＬＵＴ）において、格納され得る。その後は、データベース２９０は、最も大きいアイソレーションを持ち、与えられた時間期間において活動中の無線機のセットに適切なアンテナを選択するために利用され得る。１つの設計において、追加の無線機が活動中になる場合、それと前に選択されたアンテナとの間の最も大きいアイソレーションを持つ次の最も良いアンテナは、選択され得る。前に活動中の無線機が活動中でなくなる場合、無線機のために前に選択されたアンテナは、選択されないこともある。他の設計において、アンテナ選択は、活動夕の無線機のセットにおいて変化があるときはいつでも、全ての活動中の無線機のために再び実行され得る。この設計は、新しい無線機が活動中になる、又は前に活動中の無線機が活動中でなくなるときはいつでも、アンテナに再割り当てされることを許可し得る。
【００８１】
１つの設計において、アンテナ間の相関は、アプリオリに決定され、データベース２９０に格納され得る。異なるアンテナのための相関測定は、データベース２９０から取り戻され、アンテナを選択するために使用され得る。１つの設計において、最も小さい相関を持つアンテナは、ＭＩＭＯ送信、ダイバーシティなどのため良い性能を得るために選択され得る。他の設計において、各アンテナのゲイン及びバランスは、測定され、データベース２９０に格納され得る。異なるアンテナのためのゲイン及びバランス測定は、データベース２９０から取り戻され、アンテナを選択するために使用され得る。アンテナ２１０の他の特性はまた、アプリオリに測定又は決定され、アンテナを選択するための使用のためデータベース２９０に格納され得る。
【００８２】
他の設計において、アンテナ選択は、動作状況を変更することから性能を改善するために動的な測定に基づき実行され得る。１つの設計において、アイソレーション測定は、周期的に又はきっかけがあればいつでもアンテナ２１０のために得られ得る。きっかけは、活動中の無線機のセットにおける変更、性能における低下などが原因で起こり得る。そのとき、アンテナ選択は、最新の利用可能なアイソレーション測定に基づいて実行され得る。与えられたアンテナのためのアイソレーションは、時間が経つについて幅広く変動しえる。アンテナのためのアイソレーションにおける大きな変動は、利用され得、最も良いアンテナは、高いアイソレーションの時間に選択され得る。
【００８３】
他の設計において、アンテナ間の相関は、周期的に又はきっかけがあればいつでも、決定され得る。アンテナ選択は、最新の相関測定に基づいて実行され得る。また他の設計において、各アンテナのゲイン及びバランスは、周期的に又はきっかけがあればいつでも、測定され得る。アンテナ選択は、最新のゲイン及びバランス測定に基づいて実行され得る。アンテナの他の特性はまた、周期的に又はきっかけがあればいつでも、決定され得もし、最新の測定は、アンテナ選択のために使用され得る。
【００８４】
一般に、アンテナは、アンテナ間のアイソレーション、アンテナ間の相関、活動中のアンテナのスループット、無線機の優先度、アンテナ間の干渉、個々の無線機２４０及び／又は無線機器１１０の電力消費、無線機器１１０によって観測されるチャンネル状況などのような様々な性能メトリックに基づいて、使用のために選択され、無線機に割り当てられ得る。スループットは、特定の無線機のデータレート、又は、無線機若しくは全ての無線機のセットの全体にわたるデータレートに相当し得る。１つ又はそれ以上の無線機のスループットは、無線機間の干渉、マルチアンテナシステムにおけるダイバーシティ性能、チャンネル状況、受信機無線機のＲＳＳＩ及び感度などの結果であり得る。これら様々な性能メトリックは、アンテナ選択のための最適なパラメータとして利用され得る。
【００８５】
（たとえば、アイソレーション、相関、又はスループットのための）各性能メトリックは、選択されるアンテナの数、ここでそれは特定のアンテナが選択され得る、無線機へのアンテナのマッピングなどのような様々な変数によって影響を及ぼされ得る。各性能メトリックは、計算及び／又は測定によって決定され得、一般に１つ又はそれ以上の変数の結果であり得る。これらの変数は、「ノブ（knob）」と呼ばれ得、他の状態へ調整され又は「チューニング」され得、ここでそれは、「ノブ状態（knob state）」と呼ばれ得る。たとえば、与えられた無線機及び１つ若しくはそれ以上のアンテナへのそれのマッピングのスループットは、無線機タイプ、送信パラメータ（たとえば、変調スキーム、コードレート、ＭＩＭＯ構成など）、アンテナマッピング、アイソレーション、チャンネル状況、ＲＳＳＩ、信号ノイズ比（ＳＮＲ）などに基づいて計算され得る。交替に、スループットは、異なる方法においても測定され得、ここで方法は、与えられた時間期間内で受信される情報ビットの数をカウントすることを含む。与えられた性能メトリックが計算又は測定されるかどうかは、性能メトリックのタイプ（たとえば、アイソレーションは、一般的に測定され得るが、一方、相関は一般的にアイソレーション測定から計算され得る。）に依存し得、ことによる最適なアリゴリズムが使用のために選択されるかどうかに基づき得る。
【００８６】
１つの設計において、（たとえば、アイソレーション、相関、干渉などのための）１つ又はそれ以上の性能メトリックは、目的関数を計算するために決定され使用され得る。１つの設計において、目的関数（Ｏｊｂ）は、次のように定義され得る：
【数５】
2013516110.tif 000008
【００８７】
ここで、ａ１からａ６は、たとえば、０≦ａｋ≦１である異なる性能メトリックのための重みである。
【００８８】
他の設計において、目的関数は、次のように定義され得る：
【数６】
2013516110.tif 000009
【００８９】
ここで、Perf_Metric pは、ｐ番目の実行メトリックを表し、ｆｏｂｊは、１つ又はそれ以上の（Ｐ）性能メトリックの任意の適切な関数であり得る。
【００９０】
目的関数の目的は、解決され又は最適化されるための関数を定義することである。目的関数の入力パラメータは、１つ又はそれ以上のエンティティ（たとえば、接続マネージャ２７２及び／又は共存マネージャ２７４）からのハイレベルな要求、最適化を提供するローレベルなパラメータなどによって決定され得る。目的関数は、特定の公式化及びパラメータのセットによって表現され得、それは、１つ又はそれ以上の目的に基づいて、ことによると使用のために選択された特定の最適化アルゴリズムによって、定義され又は選択され得る。たとえば、１つ又はそれ以上の目的は、アイソレーションを最大化すること、スループットを最大化すること、干渉を最小化すること、電力消費を最小化することなどに関連し得る。これらの目的は、アイソレーション、相関、スループットなどのための性能メトリックを使用することによって実現され得る。たとえば、無線機マッピングへの特定のアンテナは、（相関を減少させ得る）アンテナのペア間のアイソレーションを増加させ得るが、また（選択された２つのアンテナの代わりに１つのアンテナの結果となり得る）無線機のためのスループットを減少させ得もする。
【００９１】
式５に示される設計において、重みは、どの程度強調又は重みを関連する性能メトリック上に置くかを決定し得る。０の重みは、関連する性能メトリック上で全く強調がないことを意味するが、一方、１の重みは、関連する性能メトリック上で最大限の重みを意味している。各性能メトリックのための重みは、接続マネージャ２７２、共存マネージャ２７４などのような他のエンティティからの要求に基づいて選択され得る。性能メトリックは、それらの平均値又は最大値（たとえば、平均又は最大のスループット、平均又は最大の干渉など）に基づいて、１つの無線機又は無線機若しくは全ての無線機のセット上で、最適化され得る。
【００９２】
目的関数は、１つ又はそれ以上の制約を受け得る。１つの設計において、各無線機又は無線機の各セットは、ある最小スループットを満たす必要があり得る。他の設計において、各無線機の送信パワーは、値の範囲及び無線機の最大能力を超えないように制限され得る。また他の設計において、無線機のセットの全体の消費電力は、値の範囲に限定され得る。また他の設計において、アンテナのある最小又は最大値は、アンテナ選択から離れ得る予め決定されたルールを満たすために特定の無線機又は無線機のセットに関連され得る。他の制約はまた、目的関数とともに定義され使用され得もする。
【００９３】
一般に、目的関数は、その形が考慮される全ての性能メトリック及び対応するノブ状態のために加入するノブ／変数によって決定される多次元曲線として描かれ得る。この曲線上の各点は、加入するノブ及びそれらのノブ状態の特定のセットに相当し得る。目的関数の最も良い値（たとえば、最大又は最小）は、ノブ状態（又はそれぞれ個々のノブ／変数のための値）の特定のセットのために達成され得る。いくつかのアルゴリズムは、目的関数のこの最も良い値を決定するために使用され得る。異なるアルゴリズムは、最も良い値を決定するために異なる方法を実施し得、いくつかのアルゴリズムは、他の物より多くの費用／時間的効果があり得る。
【００９４】
たとえば、力ずくのアルゴリズムは、次のように進行し得る。第１に、１つ又はそれ以上の性能メトリック及び１つ又はそれ以上の目的（たとえば、最大のスループット）は、選択され得る。次に、ノブ及びノブ状態の異なる利用可能なセットは、評価され得る。ノブ及びノブ状態の各セットは、特定のアンテナ構成に割り当てられ得、ここで、それは、（複数の）無線機へ（複数の）のアンテナの特定のマッピングを選択するためアンテナの特定の数、選択するため（複数の）特定のアンテナなどを含み得る。ノブ及びノブ状態の各利用可能なセットのため、適切な計算及び／又は測定は得られ得、（複数の）性能メトリックは計算及び／又は測定に基づいて計算され得、目的関数は（複数の）性能メトリックに基づいて決定され得る。１つ又はそれ以上の目的を最大化する（たとえば、スループットを最大化する）ノブ及びノブ状態のセットは、使用のために選択され得る。力ずくのアルゴリズムに近い他のアルゴリズムはまた、目的関数を評価するため、及び使用のために最も良いアンテナ構成を決定するため、使用され得る。
【００９５】
１つの設計において、アンテナ選択は、スループット、受信信号の品質、アイソレーションなどのような１つ又はそれ以上の標準化されたメトリックを最大化する目的関数に基づき得る。受信信号の品質は、ＳＮＲ、信号ノイズ干渉比（ＳＩＮＲ）、キャリア干渉比（Ｃ／Ｉ）などによって与えられ得る。各予定される間隔において、コントローラ２７０は、動作のために１つ又はそれ以上の無線機２４０を選択し得、各選択された無線機は、送信器無線機又は受信機無線機であり得る。コントローラ２７０はまた、（複数の）選択された無線機をサポートするために１つ又はそれ以上のアンテナ２１０を選択し得もする。コントローラ２７０は、無線機とは独立にアンテナを選択し得、又は、アンテナ及び無線機を共同で選択し得る。コントローラ２７０が独立にアンテナ及び無線機を選択する場合、そのときコントローラ２７０は、どの無線機が与えられた時間期間内で運転可能になるかを決定し得、選択基準に基づいてアンテナのセットを活動中の無線機に関連づけ得る。コントローラ２７０がアンテナ及び無線機を共同で選択する場合、そのときアンテナのための（たとえば、アイソレーション、相関などのための）メトリックは、無線機を選択するため他の重みづけられたメトリックと関連して重みづけられ、使用され得る。他の重みづけられたメトリックは、スループット、実行中のアプリケーション、無線機間の干渉などに相当し得る。
【００９６】
スループットは、性能メトリック及びたとえば式５又は６に示されるような目的関数のパラメータとして利用され得る。スループットは、計算又は測定によって決定され得る。スループットは、スペクトル効率（又は能力）及びシステム帯域幅に基づいて計算され得る。スペクトル効率は、たとえば異なる送信スキームのため異なる計算に基づいて、これら異なる送信スキームのため異なる方法において計算され得る。たとえば、多重（Ｔ）送信アンテナから複数の（Ｒ）受信アンテナへのＭＩＭＯ送信のスペクトル効率は、
【数７】
2013516110.tif 000010
【００９７】
として表現され得、ここで、Ｈは、Ｔ送信アンテナからＲ受信アンテナへの無線チャンネルのためのＲ×Ｔチャンネル行列であり、
Гは、平均受信ＳＮＲであり、
ｄｅｔ（）は、行列式関数を表し、
Ｉは、単位行列を表し、
“ H ”は、エルミート又は共役転置行列を表し、及び
ＳＥは、ｂｐｓ／ＨｚのユニットにおけるＭＩＭＯ送信のスペクトル効率を表す。
【００９８】
チャンネル行列Ｈはまた、アイソレーション行列、相関行列及び／又は他の要因の結果であり得もする。
【００９９】
ＭＩＭＯ送信は、単一のアンテナ送信においてスループットを上昇させ及び／又は確実性を改善するために使用され得る。ＭＩＭＯ送信のスペクトル効率は、より多くのアンテナによって、及びより大きなＳＮＲによって上昇され得る。ＭＩＭＯ送信のスペクトル効率は、アンテナ選択のための、及び、ＬＴＥ並びにＷＬＡＮ無線機のようなＭＩＭＯの能力のある無線機への割当のためのスループットメトリックとして使用され得る。ＭＩＭＯの能力のない無線機のために、ダイバーシティ受信、（たとえば、３Ｇ  ＷＡＮ、ＧＰＳに関する）結合する選択、又は（たとえば、ブルーツース、ＦＭなどに関する）単一のアンテナ送信は、アンテナ選択のためのスループットメトリックとして使用され得る。１つの設計において、全ての活動中の無線機の全体のスループットが最大化され得るように、また各活動中の無線機が無線機のため最小のスループット制約を満たすように、アンテナ選択は実行され得る。
【０１００】
各無線機は、他の無線機のためのチャンネルから独立するために考慮され得る異なるチャンネル上で動作し得る。各無線機はまた、他の無線機とは異なり得もし、異なる帯域幅、周波数などによって動作し得もする。より高いスループットは、より良いチャンネル状態によって無線機のために達成され得る。チャンネル状態は、一般的に時間経過及び衰え、流動性などのような動作状況で変動する。チャンネル状態は、チャンネル品質指標（ＣＱＩ）、ＲＳＳＩ、ＳＮＲ、及び／又は他の情報によって伝達され得、ここで、それらはエアーインターフェイスの物理層チャンネルにおいて利用可能となり得る。各無線機のチャンネル状態を表す情報は、（たとえば、定期的なアップデート間隔で）コントローラ２７０へ供給され得る。この情報は、スループットが最大化されることができるような無線機及びアンテナを選択するために使用され得る。
【０１０１】
便宜主義的な予定アルゴリズムの例は、全体のスループットを最大化するために最も良いチャンネル状態を持つ無線機アンテナの組み合わせを割り当てる。しかしながら、より貧弱なチャンネルを持つ無線機アンテナの組み合わせがいくつかの最小スループットを維持することができることに保険を掛けることが望まれ得る。これを容易にするため、標準化された比率は、次のように定義され得る：
【数８】
2013516110.tif 000011
【０１０２】
ここで、Ｄｉ（ｔ）は、報告されたチャンネル状態に基づいて時間スロットｔで無線機アンテナの組み合わせｉの達成可能なスループットであり、Ａｉ（ｔ）は、無線機アンテナの組み合わせｉの平均スループットであり、Ｒｉ（ｔ）は、無線機アンテナの組み合わせｉのため標準化された比率である。
【０１０３】
無線機アンテナの組み合わせｉの平均スループットは、次のように移動平均に基づいて決定され得る：
【数９】
2013516110.tif 000012
【０１０４】
ここで、δ＝１／ＴＷＩＮＤＯＷ及びＴＷＩＮＤＯＷは、平均した窓の長さである。式９及び１０に示されるように、無線機アンテナの組み合わせｉの平均スループットは、無線機アンテナの組み合わせｉが予定されている否かに依存する異なる方法において更新され得る。他の平均する方法はまた使用され得もする。
【０１０５】
式８に示される設計のため、コントローラ２７０は、Ｒｉ（ｔ）が全ての活動中の無線機アンテナの組み合わせの中で最大の標準化された比率である各時間スロットで無線機アンテナの組み合わせｉを選択し得る。この設計は、スループットの点において全ての無線機アンテナの組み合わせのための公平制約を維持しようと試み得る。最適化は、アンテナの数及びプロパティに依存する特定のアンテナの点においてなされ得る。達成可能なスループットが最大化されたのみの場合、そのときコントローラ２７０は、常に最も良いチャンネル状態を持つ無線機アンテナの組み合わせを選択し得、比較的悪いチャンネル状態を持つ無線機アンテナの組み合わせは、それらの潜在的なスループットを達成しない。逆に、平均スループットが最大化されたのみの場合、そのときコントローラ２７０は、ラウンドロビン方法において行動し得、等しくしばしば各無線機アンテナの組み合わせを選択し得る。
【０１０６】
１つの設計において、アンテナ選択は、チャンネル状態情報の代わりにアイソレーションに基づき得る。１つの設計において、コントローラ２７０は、各時間スロットで全ての活動中の無線機アンテナの組み合わせの中で最も大きなアイソレーションを持つアンテナを選択し得る。この設計は、チャンネル状態情報への依存を減少させ得、それゆえフィードバックチャンネルのために必要な複雑さ及びオーバーヘッドを減少させ得る。他の設計において、アンテナ選択は、チャンネル状態情報に加えてアイソレーションに基づき得る。また他の設計において、アンテナ選択は、アイソレーション及び１つ若しくはそれ以上の性能メトリック（たとえば、スループット）による共同最適化に基づき得る。
【０１０７】
スループットは、アイソレーションに依存し得、一般的により高いアイソレーションによってより良く成り得る。アイソレーションを利用するアルゴリズムは、リンク又はパスレベルスループット測定よりむしろ個別のアイソレーション測定を使用するので、それは、より小さい実施の複雑さを持ち得る。アイソレーションを最大化することは、スループットを最大化に至り得又は至り得ないこともある。さらに、アイソレーションは、チャンネル状態よりも異なる時間スケール上で変化し得る。それゆえ、性能／複雑さのトレードオフは、アンテナ選択のためアイソレーションを利用することによって行われる。
【０１０８】
図１１は、アンテナ選択のためプロセス１１００の設計の流れ図を示す。プロセス１１００は、無線機器１１０によって、たとえばコントローラ２７０によって実行され得る。初めに、１つ又はそれ以上の無線機のセットは、使用のために選択され得る（ブロック１１１２）。（複数の）無線機は、無線機器１１０上で実行中のアプリケーションの要求、実行中のアプリケーションの性能、無線機器１１０上の無線機の能力及び優先度、無線機間の干渉などのような様々な基準に基づいて選択され得る。無線機器１１０上で利用可能なアンテナのためのアイソレーション及び／又は相関測定は、得られ得る（ブロック１１１４）。アイソレーション及び／又は相関測定は、アプリオリに得られ得、定期的に又はきっかけがあればいつでもデータベースに格納され得る。１つ又はそれ以上のアンテナのセットは、アイソレーション及び／又は相関測定に基づいて（複数の）無線機のセットのために選択され得る（ブロック１１１６）。
【０１０９】
図１２は、動的なアンテナ選択のためプロセス１２００の設計の流れ図を示す。プロセス１２００はまた、無線機器１１０によって、たとえばコントローラ２７０によって実行され得もする。１つ又はそれ以上のアンテナのセットは、１つ又はそれ以上の活動中の無線機のセットのため決定され得る（ブロック１２１２）。ブロック１２１２は、図１１におけるプロセス１１００によって実施され得、他の方法において実施され得る。
【０１１０】
アンテナ選択のために使用されるスループット及び／又は他の性能メトリックは、たとえば周期的に又はイベントによってトリガーされればいつでも、決定され得る（ブロック１２１４）。活動中の無線機のセットの性能が受容可能であるかどうかの決定は、行われ得る（ブロック１２１６）。答えが「はい」である場合、そのときプロセスは、アンテナ選択のために使用されるスループット及び／又は他の性能メトリックを監視することをけいぞくするためにブロック１２１４へ戻り得る。そうでなければ、性能が受領可能でない場合、そのとき利用可能なアンテナのためのアイソレーション及び／又は相関測定は、たとえば、リアルタイムで又は、データベースから、得られ得る（ブロック１２１８）。１つ又はそれ以上のアンテナの新しいセットは、利用可能な情報の全てに基づいて、たとえば、上述したような目的関数の最適化に基づいて、活動中の無線機のセットのために選択され得る。
【０１１１】
活動中の無線機のセットにおける変更があるかどうかの決定は、行われ得る（ブロック１２２２）。答えが「いいえ」である場合、そのときプロセスは、アンテナ選択のために使用されるスループット及び／又は他の性能メトリックを監視するためにブロック１２１４へ戻り得る。答えが「はい」である場合、そのときいくらかの無線機が活動中であるかどうかの決定は、行われ得る（ブロック１２２４）。答えが「はい」である場合、そのときプロセスは、活動中の無線機のセットのためのアンテナのセットを選択するためにブロック１２１２へ戻り得る。そうでなければ、活動中のアンテナがない場合、そのときプロセスは終了し得る。
【０１１２】
一般に、様々な性能メトリックは、活動中の無線機のためのアンテナを選択するために使用され得る。これらの性能メトリックは、各活動中の無線機のためにどの特定のアンテナを選択するかはもちろん各活動中の無線機のためにいくつのアンテナを選択するかも決定するために使用され得る。たとえば、アイソレーション及び／又は相関測定は、アンテナのどのセット又はペアが特定の無線機のためにそれらの間で最も良い性能（たとえば、最も良いアイソレーション又は最も小さい相関）を持つかを決定するために使用され得る。
【０１１３】
１つの設計において、アンテナ選択は、集中方式において実行され得る。この設計において、使用のためにどのアンテナを選択するか及び活動中の無線機にどのアンテナを割り当てるかの決定は、全ての無線機及びアンテナを横断して全体的に行われ得る。他の設計において、アンテナ選択は、非集中方式において実行され得る。この設計において、たとえば、目的関数が各無線機又は無線機の各セットのために個別に満たされるように、使用のためにどのアンテナを選択するかの決定は、各無線機又は、無線機の各セットのために行われ得る。
【０１１４】
図１３は、アンテナ選択を実行するためのプロセス１３００のブロック図を示す。プロセス１３００は、無線機器又はいくつかの他のエンティティによって実行され得る。少なくとも１つの無線機は、無線機器上の複数の無線機の中から選択され得る（ブロック１３１２）。少なくとも１つのアンテナは、複数のアンテナの中から少なくとも１つの無線機のための選択され得る（ブロック１３１４）。少なくとも１つのアンテナの１つ又はそれ以上は、複数の無線機の中で１つ又はそれ以上の他の無線機のための使用のために供給され利用可能であり得る。少なくとも１つの無線機は、たとえば、スイッチピレクサを通じて、少なくとも１つのアンテナへ接続され得る（ブロック１３１６）。
【０１１５】
少なくとも１つの無線機は、ブロック１３１２において様々な基準に基づいて、選択され得る。たとえば、少なくとも１つの無線機は、複数の無線機の優先度、アプリケーションの要求、アプリケーションに関する優先度、無線機間の干渉、いくつかの他の基準、又はそれらの組み合わせに基づいて、選択され得る。無線機選択の１つの設計において、少なくとも１つのアプリケーションからの入力は、受信され得る。少なくとも１つの無線機は、少なくとも１つの無線機からの入力に基づいて選択され、少なくとも１つの無線機の中で干渉を和らげ得る。
【０１１６】
１つの設計において、少なくとも１つのアンテナは、複数のアンテナへの複数の無線機の構成可能なマッピングに基づいて選択され得る。構成可能なマッピングは、たとえば、どの無線機が活動中かに基づいて、与えられたアンテナに異なる無線機のために使用されること及び／又は、与えられた無線機に異なるアンテナに関連されることを許可し得る。構成可能なマッピングは、１つ又はそれ以上の特定のアンテナが各無線機と関連づけられる固定のマッピングとは異なり得る。たとえば、少なくとも１つの無線機が活動中になる場合、又は、少なくとも１つの無線機の性能における変更が要求される場合などに、アンテナ選択は、動的に実行され得る。
【０１１７】
１つの設計において、多重無線機は、ブロック１３１２において多重無線機の中から選択され得、複数のアンテナは、ブロック１３１４において複数のアンテナ中から選択され得、及び多重無線機は、ブロック１３１６において多重アンテナへ接続され得る。他の設計において、多重無線機は、ブロック１３１２において多重無線機の中から選択され得、単一の無線機は、ブロック１３１４において複数のアンテナから選択され得、及び多重無線機は、ブロック１３１６において単一のアンテナへ接続され得る。一般に、任意の個数の無線機は、ブロック１３１２において選択され得、任意の個数のアンテナは、ブロック１３１４において選択され得、及び（複数の）選択された無線機は、ブロック１３１６において（複数の）選択されたアンテナへ接続され得る。
【０１１８】
１つの設計において、（図６において示されるように）異なるアンテナは、無線機のセットのため異なる時期に選択され得る。少なくとも１つのアンテナは、ブロック１３１４において第１の時期に選択され得る。少なくとも１つの他のアンテナは、第２の時期に複数のアンテナから選択され得る。少なくとも１つの無線機は、第２の時期に少なくとも１つの他のアンテナと接続され得る。他の設計において、（図６において示されもするように）異なる数のアンテナは、異なる時期に選択され得る。最初の数のアンテナは、ブロック１３１２において第１の時期に少なくとも１つの無線機のために選択され得、少なくとも１つのアンテナを含み得る。第２の数のアンテナは、第２に時期に少なくとも１つの無線機のために選択され得、第１の数のアンテナとは異なり得る。
【０１１９】
１つの設計において、複数のアンテナのための測定は、得られ得る。測定は、アンテナ間のアイソレーション、ＲＳＳＩ、ＣＱＩ、いくつかの他のパラメータ又はそれらの組み合わせのためであり得る。測定は、アプリオリに決定され、データベースにおいて格納され、必要なときにデータベースから得られ得る。測定はまた、定期的な時間間隔で又はきっかけがある時に得られ得もする。任意のケースにおいて、少なくとも１つのアンテナは、測定に基づいて選択され得る。
【０１２０】
１つの設計において、複数のアンテナは、異なるタイプのアンテナ、たとえば、上記のアンテナタイプの任意の組み合わせ、から構成され得る。１つの設計において、複数のアンテナは、共有されたアンテナのみを含み得る。他の設計において、複数のアンテナは、供給された専用アンテナを含み得る。たとえば、複数のアンテナは、（１）少なくとも１つの無線機の第１セットに専用の少なくとも１つのアンテナの第１セット及び（２）多重無線機の第２セットによって共有された少なくとも１つの第２セットを含み得る。
【０１２１】
１つの設計において、少なくとも１つのスイッチピレクサは、複数の無線機と複数のアンテナとの間に接続され得、少なくとも１つの選択されたアンテナを少なくとも１つの選択された無線機へ接続し得る。１つの設計において、多重アンテナは、与えられた無線機のために使用され得、少なくとも１つのスイッチピレクサは、無線機を、無線機のために利用可能な多重アンテナの１つ又はそれ以上へ接続するために制御され得る。１つの設計において、与えられたアンテナは、多重無線機をサポートし得、少なくとも１つのスイッチピレクサは、アンテナを、アンテナによってサポートされた多重無線機の１つ又はそれ以上へ接続するために制御され得る。スイッチピレクサは、他の方法において、柔軟に（複数の）選択されたアンテナを（複数の）選択された無線機へ接続し得る。
【０１２２】
１つの設計において、ＬＮＡは、少なくとも１つの無線機の中の受信機無線機のために選択され得る。ＬＮＡは、複数の無線機の中の１つ又はそれ以上の他の受信機無線機によって共有され得る。他の設計において、ＰＡは、少なくとも１つの無線機の中の送信器無線機のために選択され得る。ＰＡは、複数の無線機の中の１つ又はそれ以上の他の送信器無線機によって供給され得る。
【０１２３】
当業者は、情報及び信号が任意の多様な異なる技術及び手法を使用し表現され得ることを理解するだろう。たとえば、上の記述を通じて言及され得るデータ、命令（instruction）、命令（command）、情報、信号、ビット、シンボル及びチップは、電圧、電流、電磁波、磁場若しくは磁性粒子、光学場若しくは光粒子又はそれらの任意の組み合わせによって表現され得る。
【０１２４】
当業者は、さらに、本文中の記述に関連して記述される様々な例示の論理ブロック、モジュール、回路及びアルゴリズムステップが、電気的ハードウェア、コンピュータソフトウェア、又は両者の組み合わせとして実施され得ることを理解するだろう。ハードウェア及びソフトウェアのこの互換性を明確に示すために、様々な例示のコンポーネント、ブロック、モジュール、回路及びステップは、それらの機能の点において一般的に上に記述されている。その様な機能がハードウェア又はソフトウェアとして実施されるかどうかは、特定のアプリケーション及び全体のシステムに課された設計制約に依存する。当業者は、各特定のアプリケーションのため様々な方法において記述された機能を実施し得るが、そのような実施の決定は、本開示の範囲からの離脱を生じるように解釈され得るべきではない。
【０１２５】
本文中の記述に関連して記述される様々な例示の論理ブロック、モジュール、及び回路は、本文中に記述された機能を実行するために設計された、汎用プロセッサ、デジタル信号プロセッサ（ＤＰＳ）、特定用途向け集積回路（ＡＳＩＣ）、フィールドプログラマブルゲートアレイ（ＦＰＧＡ）あるいは、他のプログラマブル論理デバイス、ディスクリートゲート若しくはトランジスタ論理、ディスクリートハードウェアコンポーネント、又はそれらの任意の組み合わせによって実施又は実行され得る。汎用プロセッサは、マイクロプロセッサであり得るが、代案として、プロセッサは、任意の従来のプロセッサ、コントローラ、マイクロコントローラ、又は状態機械であり得る。プロセッサはまた、たとえば、ＤＰＳとマイクロプロセッサとの組み合わせ、複数のマイクロプロセッサ、ＤＳＰコアに接続している１つ又はそれ以上のマイクロプロセッサ、又は、任意の他のその様な構成であるコンピューティングデバイスの組み合わせとして実施され得もする。
【０１２６】
本文中の記述に関連して記述される方法又はアルゴリズムのステップは、直接ハードウェアにおいて、プロセッサによって実行されるソフトウェアモジュールにおいて、又は２つの組み合わせにおいて具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバディスク、ＣＤ−ＲＯＭ、又は技術において知られた記録媒体の任意の他のフォームに存在し得る。プロセッサが記録媒体から情報を読み、記録媒体へ情報を書き込むことができるように、典型的な記録媒体は、プロセッサに接続される。代案として、記録媒体は、プロセッサに必要不可欠であり得る。プロセッサ及び記録媒体は、ＡＳＩＣに存在し得る。ＡＳＩＣは、利用者端末に存在し得る。代案として、プロセッサ及び記録媒体は、ディスクリートコンポーネントとして利用者端末に存在し得る。
【０１２７】
１つ又はそれ以上の典型的な設計において、記述された機能は、ハードウェア、ソフトウェア、ファームウェア、又はそれらの任意の組み合わせにおいて実施され得る。ソフトウェアにおいて実施される場合、機能は、コンピュータ可読媒体上で１つ又はそれ以上の命令又はコードとして格納され又は送信され得る。コンピュータ可読媒体は、ある場所から他の場所へコンピュータプログラムを送信することを容易にする任意の媒体を含むコンピュータ記録媒体と通信媒体とを含む。記録媒体は、汎用又は特定用途向けコンピュータによってアクセスされることのできる任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ若しくは他の光学ディスク媒体、磁気ディスク媒体若しくは他の磁気記録媒体、又は、命令若しくはデータ構造の形で所望のプログラムコード手段を運び若しくは格納するために使用されることができ、汎用若しくは特定用途向けコンピュータ又は汎用若しくは特定用途向けプロセッサ、によってアクセスされることができる任意の他の媒体を備え得る。また、任意の接続は、適切にコンピュータ可読媒体と呼ばれる。たとえば、ソフトウェアがウェブサイト、サーバ、又は、同軸ケーブル、光ファイバーケーブル、ツイストペア、デジタル加入者ライン若しくは赤外線、無線及びマイクロ波のような無線技術を使用するその他遠隔ソースから送信される場合、そのとき同軸ケーブル、光ファイバーケーブル、ツイストペア、ＤＳＬ、又は赤外線、無線及びマイクロ派のような無線技術は、媒体の定義に含まれる。本文中で使用されている、一般的に磁気的にデータを再現するディスク（disk）、一方レーザーを使用して光学的にデータを再現するディスク（disc）は、コンパクトディスク（ＣＤ）、レーザーディスク（登録商標）、光ディスク、ディジタル・バーサタイル・ディスク（ＤＶＤ）、フロッピー（登録商標）ディスクおよびブルーレイディスクを含む。上記の組み合わせはまた、コンピュータ可読媒体の範囲内に含まれ得もする。
【０１２８】
開示の先の記述は、あらゆる当業者に開示を制作又は使用させるために供給される。開示の様々な変更は、当業者にとってたやすく明確であり、本文中に定義される一般的な原理は、開示の範囲から離れることなく他のバリエーションを供給し得る。したがって、開示は、本文中に記述された例及び設計に限定されることを意図するものではないが、本文中に記述された原理及び新規性を持つ最も広い範囲制約を与えられる。
【図１】
2013516110.tif 000013
【図２】
2013516110.tif 000014
【図３】
2013516110.tif 000015
【図４】
2013516110.tif 000016
【図５】
2013516110.tif 000017
【図６】
2013516110.tif 000018
【図７Ａ】
2013516110.tif 000019
【図７Ｂ】
2013516110.tif 000020
【図８Ａ】
2013516110.tif 000021
【図８Ｂ】
2013516110.tif 000022
【図９】
2013516110.tif 000023
【図１０】
2013516110.tif 000024
【図１１】
2013516110.tif 000025
【図１２】
2013516110.tif 000026
【図１３】
2013516110.tif 000027
【国際調査報告】
2013516110.tif 000028
2013516110.tif 000029
2013516110.tif 000030